(57)【要約】 【課題】  従来の計量化による漢方診断方法において、最適方剤を選定する際、医療過誤を起こすという問題を解決する。【解決手段】  最適方剤を選定するための病症名（症状名）に対応するメイン系病候・共通系病向・サブ系病候を構成する病候証・病向証の該当セルに計量化・定量化のための病症名（病状名）の重要度１．２．３．４．５（１．とても低い２．低い３．普通４．高い５．とても高い）の相対加重度の値を配当設定する確定方法で編集された方剤基本データ編集方法と、計量マトリックス計算・計量単純計算・計量確率計算の数学解析方法による計量化の計量マトリックス漢方診断方法と、方剤基本データ編集方法・計量マトリックス漢方診断方法によってシステム設計した精度の高い漢方統一診断情報システムとを用いることによって、上記した主たる課題である医療過誤を防止することができる。【選択図】図１
2006065718.tif 000002
【特許請求の範囲】
【請求項１】
漢方診断方法の計量化のための病症名（症状名）に対応する定性データである表証・裏証・衛分証・気分証・営分証・血分証・天焦証・上焦証・中焦証・下焦証・熱証・寒証・実証・虚証・燥邪証・湿邪証・風邪証・火邪証・暑邪証・寒邪証・気傷証・血傷証・痰傷証・欝傷証などのメイン系病候・サブ系病候を構成する病候証と、升証・降証・散証・収証などの共通系病向を構成する病向証とを配当設定する確定方法と、配当設定の確定がなされている病候証・病向証の該当セルに計量化・定量化のための病症名（病状名）の重要度１．２．３．４．５（１．とても低い２．低い３．普通４．高い５．とても高い）の相対加重度の値を配当設定する確定方法とで編集された方剤基本データ編集方法。
【請求項２】
方剤基本データ編集（方剤毎の初期値編集を統合した基準編集）で構成した［診断基本観測値登録マトリックス］の診断基本観測値の値を基にした計量マトリックス計算による計量化と、［診断選択基本観測値登録マトリックス］の診断選択基本観測値の値を基にした計量マトリックス計算による計量化と、［診断実際観測値登録マトリックス］の診断実際観測値の値を基にした計量マトリックス計算による計量化と、［診断選択精度登録マトリックス］における診断選択精度を決定するための計量単純計算による計量化と、［診断実際選択精度登録マトリックス］における診断実際選択精度を決定するための計量単純計算による計量化と、［診断方剤決定最終精度登録マトリックス］における診断方剤決定最終精度を決定するための計量確率計算による計量化とで構成された計量マトリックス漢方診断方法。
【請求項３】
漢方統一診断情報システム構成は、初期画面の診断項目選択で、［診断方法選択］を実行するステップと、診断項目選択の［四診断精度選択］で『全て選択』・『望診』・『聞診』・『問診』・『切診』を実行するステップと、［診断・病症名（症状名）チェック］を実行するステップと、［診断基本観測値登録マトリックス］の診断基本観測値の値を基にした計量マトリックス計算による計量化を実行するステップと、［診断選択基本観測値登録マトリックス］の診断選択基本観測値の値を基にした計量マトリックス計算による計量化を実行するステップと、［診断実際観測値登録マトリックス］の診断実際観測値の値を基にした計量マトリックス計算による計量化を実行するステップと、［診断選択精度登録マトリックス］における診断選択精度を決定するための計量単純計算による計量化を実行するステップと、［診断実際選択精度登録マトリックス］における診断実際選択精度を決定するための計量単純計算による計量化を実行するステップと、［診断方剤決定最終精度登録マトリックス］における診断方剤決定最終精度を決定するための計量確率計算による計量化を実行するステップと、計量化のための数学解析のステップによって処理された診断基本観測値の和の値と、診断選択基本観測値の和の値と、診断実際観測値の和の値と、診断選択精度の値と、診断実際選択精度の値と、診断方剤決定最終精度の％値との値の結果表示と、診断方剤決定最終精度の値を指標とした方剤決定ランキングの1位、2位、3位までの表示と、方剤決定ランキング1位の方剤に＊の表示とを示す診断結果表示を実行するステップと、初期画面の診断方法選択に復帰させる実行のステップとで構成・実行される漢方統一診断情報システム。
【発明の詳細な説明】
【技術分野】
【０００１】
本発明は、方剤基本データ編集方法と、計量マトリックス漢方診断方法と、漢方診断方法による国際統一標準化を図るための漢方統一診断情報システムとに関するものである。
【背景技術】
【０００２】
従来の計量化による漢方診断方法には、『望診』・『聞診』・『問診』・『切診』の診断に基づき、データベースで格納されているメンバーシップ関数値によって程度付した診断項目ごとに、患者の症状の程度（強い、中位、弱い）などを選択入力する。そして、選択入力によって程度付け（計量化・定量化）した症状の値に、処方データベースに定量化した各処方 (各漢方医薬）の適合度（効き具合）の値を掛け合わせた値を患者用適合度の値とし、最終結果として、各診断項目の患者用適合度の値の総和によって、最適処方(各漢方医薬)を選定する診断方法がある（例えば、特許文献１参照）。
【０００３】
以下、図４６から図６０において、従来の漢方診断情報システムの計量化による漢方診断方法について説明する。
【０００４】
図４６は、診断システムの概要を表す図で、２０１は診断コンピュータ、２０２は症状データベース、２０３は処方データベースで構成されている。
【０００５】
図４７は、のどの乾きについてのグラフであり、左側のグラフは症状の程度を表す症状データベースの内容であり、右側のグラフは各処方(各漢方医薬)の適合度（効き具合）を表す処方データベースの内容を示している。
【０００６】
図４８は、尿の量の図を表し、図４７と同様の方法で示しているグラフである。
【０００７】
図４９は、体のだるさの図を表し、図４７と同様の方法で示しているグラフである。
【０００８】
図５０は、便秘の傾向の図を表し、図４７と同様の方法で示しているグラフである。
【０００９】
図５１は、肥満度の図を表し、図４７と同様の方法で示しているグラフである。
【００１０】
図５２は、下肢の痺れの図を表し、図４７と同様の方法で示しているグラフである。
【００１１】
図５３は、のどの乾きについてのグラフであり、左のグラフは患者の診断項目の症状の程度を表すメンバーシップ関数の数値で表したものであり、右側のグラフは、患者の症状程度を考慮した適合度（患者用適合度）を示している。
【００１２】
図５４は、尿の量の図を表し、図５３と同様の方法で示しているグラフである。
【００１３】
図５５は、体のだるさの図を表し、図５３と同様の方法で示しているグラフである。
【００１４】
図５６は、便秘の傾向の図を表し、図５３と同様の方法で示しているグラフである。
【００１５】
図５７は、肥満度の図を表し、図５３と同様の方法で示しているグラフである。
【００１６】
図５８は、下肢の痺れの図を表し、図５３と同様の方法で示しているグラフである。
【００１７】
図５９は、漢方医薬の適合度の数値に特定患者の診断項目の症状であるのどの乾きの程度を表すメンバーシップ関数の数値を掛け合わせて、最適処方(各漢方医薬)を選定するまでのプロセスを示している図である。
【００１８】
図６０は、図５９のプロセスから導き出される最適処方(各漢方医薬)を決定する各処方(各漢方医薬)の適合度(患者用適合度)の値の総和の値を示している図である。
【００１９】
【特許文献１】特開平１４‐２５８８０３号公報
【発明の開示】
【発明が解決しようとする課題】
【００２０】
以上で述べた従来の計量化による漢方診断方法と、本発明の漢方統一診断情報システムを構成する本発明の計量マトリックス漢方診断方法を図６１、図６２から比較して解るように、従来の計量化による漢方診断方法は、患者の悪寒の症状の程度を、普通（悪風＝弱い悪寒）の０．１を選択入力した場合、Ａ:桂枝湯の悪寒の症状に対する適合度（効き具合）は１、Ｂ:麻黄湯の悪寒の症状に対する適合度（効き具合）は１を示していて、弱い悪寒の症状の程度を考慮した患者用適合度は、Ａ:桂枝湯は０．１、Ｂ:麻黄湯は０．１を示している。例えば、患者の悪寒の症状の程度が強い（強い悪寒）の１を選択入力した場合、Ａ:桂枝湯の適合度（効き具合）は１、Ｂ:麻黄湯の適合度（効き具合）は１を示していて、症状の程度を考慮した患者用適合度は、Ａ:桂枝湯は１、Ｂ:麻黄湯は１を示している。しかし、この２つの患者用適合度の値に対して不整合性の問題を指摘、検証することができる。
【００２１】
つまり、漢方医学の診断の症状の出所は、図６３、図６４を見て解るように、『傷寒論』などの漢方医学の原典書、原典注釈書や、それらの不備を訂正・改訂して編纂されまとめられた漢方医学方剤書（現在の漢方医学診断の模範書）である。これらの医書の方剤の中から症状は忠実に精選されることによって、症状の程度付けを理解することが可能になる。
【００２２】
また、図６５を見て解るように、Ａ:桂枝湯、Ｂ:麻黄湯の漢方医学方剤書から症状を見てみると、桂枝湯の特徴は悪風（弱い悪寒）であり、悪風だからといって程度付けは低くなく、Ｗ（程度付け）の相対加重度は５で高い。主薬は桂枝で、通用散寒により悪風の症状を除去する効能がある。麻黄湯の特徴は悪寒（強い悪寒）であり、Ｗ（程度付け）の相対加重度は５で高く、主薬は麻黄で、桂枝とともに発汗させることによって悪寒の症状を除去する効能がある。つまり、方剤の症状に対するＷ（程度付け）は、方剤を構成している絶対的必須症状が高いものであって、症状の程度が高いものが高いとは決定づけられない。桂枝湯では、絶対的必須症状である悪風（弱い悪寒）のＷ（程度付け）は低くなく、高い。
【００２３】
上記したことから解るように、個々の患者の悪寒の症状に対して、症状の程度を考慮した患者用適合度の総和の値から最適処方(各漢方医薬)を選定するプロセスを検証してみると、程度付けが普通の０．１の条件において、Ａ:桂枝湯の弱い悪寒の症状に対しての患者用適合度が０．１、Ａ:麻黄湯の弱い悪寒の症状に対しての適合度(患者用適合度)が０．１であると計算されるが、本来、漢方医学方剤書を基本にした症状に対しての程度付けは、症状を普通・中位・強いなどの程度区分で程度付けするものではなく、上記したように桂枝湯、麻黄湯の中に記述されている方剤の絶対的必須症状や薬物の効能から、上記したような症状の程度の計量化を考慮、決定しなければならない。以上のことより、症状に対しての方剤の適合度（効き具合）に、症状の選択によって得られたメンバーシップ関数の値の程度付けを掛け合わせて患者用適合度を決定する計量化による漢方診断方法のプロセスには整合性がないことが検証、証明できる。
【００２４】
また、図６０を見て解るように、患者用適合度を決定し、その適合度の総和の値から最適処方(各漢方医薬)を選定するプロセスを見てみると、処方すべき最適処方(各漢方医薬)の優先順位は、１位がＡ、２位がＢ、D、 3位がＥ、４位がCとなっていて、適合度の１番高いＡの八味地黄丸を先ず処方し、経過をみて、必要に応じてＢの白虎加人参湯と、Dの大柴胡湯を追加すると
【特許文献１】では記載されている。
【００２５】
しかし、この処方の選定のプロセスについても不整合性の問題を指摘、検証することができる。漢方医学診断における処方(各漢方医薬)選定の出所は、上記したことから解るように『傷寒論』などの漢方医学の原典書、原典注釈書や、それらの不備を訂正・改訂して編纂されまとめられた漢方医学方剤書（現在の漢方医学診断の模範書）などの中から忠実に精選された症状に、漢方診断方法の計量化のための病症名（症状名）に対応する定性データである表・裏・熱・寒・実・虚などのメイン系病候・共通系病向・サブ系病候を構成する病候証・病向証の該当セルに、計量化・定量化のための病症名（病状名）の重要度１．２．３．４．５（１．とても低い２．低い３．普通４．高い５．とても高い）の相対加重度の値を配当設定し、配当設定の確定された各病症名（症状名）に対応する病候証値・病向証値の和の値の総和から導き出される証から、処方(各漢方医薬)を選定する根拠にしなければならない。
【００２６】
何故ならば、最適処方(各漢方医薬)を選定する際、患者用適合度の値の総和と、病候証値・病向証値の和の値の総和から導き出される証から処方(各漢方医薬)を選定するプロセスを比較検証してみるとよく理解できる。図６０を、処方(各漢方医薬)の患者用適合度の値の総和を、病候証値・病向証値の和の値の総和に置き換え、導き出された処方(各漢方医薬)の証を表している図６６から図７０を見てみると、最適処方(各漢方医薬)の優先順位が１位であるＡの八味地黄丸の処方(各漢方医薬)の証は裏寒虚証で、優先順位が２位であるＢの白虎加人参湯の証は裏熱虚証、Dの大柴胡湯の証は裏熱実証を示している。従来の処方の選定プロセスは、本発明の選定プロセスで検証してみると、上記したような患者用適合度の値が１番高い裏寒虚証の八味地黄丸を先ず選定・処方し、経過をみて、必要に応じて裏熱虚証の白虎加人参湯と裏熱実証の大柴胡湯を追加する処方選定方法は、漢方医学理論の観点からみると整合性を維持することはでき得るものではない。
【００２７】
すなわち、裏寒虚証の方剤を選定・処方したのち、裏熱虚証、裏熱実証の方剤を選定・処方することは、患者の病状が寒証と熱証が錯綜した状態になるか、患者の病状がすでに寒証と熱証が錯綜している状態の時、用いる処方方法である。しかも、このような状態の時に用いられる方剤は、黄連湯、大青竜湯といった方剤で、極めて限られている。現在、漢方方剤を使用する際、医療過誤の問題になっている小柴胡湯の投与に関して、厚生労働省の添付文書（２００１年８月改訂）より抜粋での警告で、肝硬変、肝癌の患者［間質性肺炎が起こり、死亡の重篤な転帰に至ることがある。］には、投与しないことの警告を記載している。
【００２８】
何故、医療過誤が起るかを図７１、図７２で検証してみるとよく理解することができる。病症名（症状名）に対応する定性データである表・裏・熱・寒・実・虚などのメイン系病候・共通系病向・サブ系病候を構成する病候証・病向証の該当セルに、計量化・定量化のための病症名（病状名）の重要度１．２．３．４．５（１．とても低い２．低い３．普通４．高い５．とても高い）の相対加重度の値を配当設定し、配当設定の確定がなされた各病症名（症状名）に対応する病候証値・病向証値の和の値の総和から導き出される証から処方(各漢方医薬)を選定する本発明の計量マトリックス漢方診断方法から検証してみると、肝硬変・肝癌の患者の証は、裏寒実証（絶証）で死亡の状態であり、小柴胡湯の証は裏熱虚証である。このことから解ることは、熱証を呈している裏熱虚証の患者に対して投与しなければならない小柴胡湯を、寒証を呈している裏寒実証の重篤な肝硬変・肝癌の患者に投与したために起こった医療過誤であることが検証できる。
【００２９】
つまり、従来のメンバーシップ関数を用いて、症状の程度を決定し、決定された症状の程度に対しての患者用適合度の総和から最適処方(各漢方医薬)を選定するプロセスは、本発明の病症名（症状名）に対応する定性データである表・裏・熱・寒・実・虚などのメイン系病候・共通系病向・サブ系病候を構成する病候証・病向証の該当セルに、計量化・定量化のための病症名（病状名）の重要度１．２．３．４．５（１．とても低い２．低い３．普通４．高い５．とても高い）の相対加重度の値を配当設定し、配当設定の確定がなされた各病症名（症状名）に対応する病候証値・病向証値の和の値の総和から導き出される証から処方(各漢方医薬)を選定する根拠にしているプロセスと比較すれば、リスクが大きく、整合性がないものであり、医療過誤を起こしやすい確率が高い計量漢方診断方法である。
【００３０】
本発明は、このような従来の計量漢方診断方法及び漢方診断情報システムが有していた問題を解決しようとするもので、本発明の漢方診断方法の計量化のための病症名（症状名）に対応する定性データである表・裏・熱・寒・実・虚などのメイン系病候・共通系病向・サブ系病候を構成する病候証・病向証の該当セルに、計量化・定量化のための病症名（病状名）の重要度１．２．３．４．５（１．とても低い２．低い３．普通４．高い５．とても高い）の相対加重度の値を配当設定し、配当設定の確定によって構成・編集する方剤基本データ編集方法と、計量マトリックス計算・計量単純計算・計量確率計算の計量化・定量化による計量マトリックス漢方診断方法と、実際の臨床医療現場で、医師・薬剤師が最適処方(各漢方医薬)の選定に際し、医療過誤を防止するための漢方統一診断情報システムとを提供することを目的とするものである。  
【課題を解決するための手段】
【００３１】
そして、上記目的を達成するための本発明の方剤基本データ編集方法は、漢方医学理論に絶対的必要条件である病症名（症状名）に対応する定性データである表・裏・熱・寒・実・虚などのメイン系病候・共通系病向・サブ系病候を構成する病候証・病向証の該当セルに、計量化・定量化のための病症名（病状名）の重要度１．２．３．４．５（１．とても低い２．低い３．普通４．高い５．とても高い）の相対加重度の値を配当設定し、配当設定の確定によって構成・編集されている方剤基本データ編集方法である。
【００３２】
また、本発明の計量マトリックス漢方診断方法は、[診断方法選択]ステップ１０１の命令・実行によって、［診断基本観測値登録マトリックス］ステップ１０４で、計量マトリックス計算を実行する計量化と、[四診断精度選択]ステップ１０２の命令・実行によって、［診断選択基本観測値登録マトリックス］ステップ１０５で、計量マトリックス計算を実行する計量化と、［診断・病症名チェック］ステップ１０３の命令・実行によって、［診断実際観測値登録マトリックス］ステップ１０６で、計量マトリックス計算を実行する計量化と、[診断選択精度登録マトリックス］ステップ１０７で、［診断選択基本観測値登録マトリックス］ステップ１０５の各方剤の診断選択基本観測値の和の値を［診断基本観測値登録マトリックス］ステップ１０４の各方剤の診断基本観測値の和の値で除した値である診断選択精度の値を決定するための計量単純計算を実行する計量化と、[診断実際選択精度登録マトリックス］スッテプ１０８で、［診断実際観測値登録マトリックス］ステップ１０６の各方剤の診断実際観測値の和の値を［診断選択基本観測値登録マトリックス］ステップ１０５の各方剤の診断選択基本観測値の和の値で除した値である診断実際選択精度の値を決定するための計量単純計算を実行する計量化と、[診断方剤決定最終精度マトリックス］ステップ１０９で、[診断選択精度登録マトリックス］ステップ１０７で計算した各方剤の診断選択精度の値と[診断実際選択精度登録マトリックス］ステップ１０８で計算した診断実際選択精度の値を乗した値である診断方剤決定最終精度の％値を決定する計量確率計算とによって実行される計量マトリックス漢方診断方法である。
【００３３】
また、本発明の漢方統一診断情報システムは、初期画面において診断項目選択の［診断方法選択］を実行するステップ１０１と、診断項目選択の［四診断精度選択］の『全て選択』・『望診』・『聞診』・『問診』・『切診』を実行するステップ１０２と、［診断・病症名のチェック］を実行するステップ１０３と、［診断基本観測値登録マトリックス］の診断基本観測値の和の値を基にした計量マトリックス計算による計量化を実行するステップ１０４と、［診断選択基本観測値登録マトリックス］の診断選択基本観測値の和の値を基にした計量マトリックス計算による計量化を実行するステップ１０５と、［診断実際観測値登録マトリックス］の診断実際観測値の和の値を基にした計量マトリックス計算を実行するステップ１０６と、［診断選択精度登録マトリックス］の診断選択精度の値を求めるための計量単純計算による計量化を実行するステップ１０７と、［診断実際選択精度登録マトリックス］の診断実際選択精度の値を求めるための計量単純計算による計量化を実行するステップ１０８と、［診断方剤決定最終精度登録マトリックス］の診断方剤決定最終精度の％値を求めるための計量確率計算による計量化を実行するステップ１０９と、上記の数学解析を実行するステップから導きだされた診断基本観測値の和の値・診断選択基本観測値の和の値・診断実際観測値の和の値・診断選択精度の値・診断実際選択精度の値・診断方剤決定最終精度の％値の表示、方剤決定ランキングが１位、２位、３位の表示、方剤最終決定の１位の方剤に＊の表示を示す［診断結果表示］を実行するステップ１１０と、初期画面の診断項目選択の［診断方法選択］に復帰、実行するステップ１１１とで構成されている。
【００３４】
また、本発明の漢方統一診断情報システムは、本発明の方剤基本データ編集方法と、計量マトリックス漢方診断方法の構成を考慮した基本計画→外部設計→内部設計→プログラム設計→プログラミングしたウォータフォールモデルの開発工程による漢方統一診断情報システムである。
【発明の効果】
【００３５】
上記方剤基本データ編集方法は、上記した従来の非客観的で非整合性で、医療過誤の確率が極めて高いメンバーシップ関数値によって程度付けした症状の値に、処方データベースに定量化した各処方 (各漢方医薬）の適合度（効き具合）の値を掛け合わせた値を、患者用適合度の値として導き出した各診断項目の患者用適合度の値の総和によって、最適処方(各漢方医薬)を選定する程度付けのプロセスを、方剤基本データ編集方法において絶対的必要条件である病症名（症状名）に対応する定性データである表・裏・熱・寒・実・虚などのメイン系病候・共通系病向・サブ系病候を構成する病候証・病向証を配当設定する確定と、配当設定が確定された病候証・病向証の該当セルに計量化・定量化のための病症名（病状名）の重要度１．２．３．４．５（１．とても低い２．低い３．普通４．高い５．とても高い）の相対加重度の値を配当設定する確定とで構成された方剤基本データ編集方法の発明導入によって、客観的で整合性があり、医療過誤の確率が極めて低い最適処方(各漢方医薬)を選定する相対加重度（計量化・定量化）のプロセスに革新させる効果がある。さらに、計量化による漢方診断方法のプロセスをも革新させる効果がある。
【００３６】
また、上記計量マトリックス漢方診断方法は、最適方剤を選定するための計量マトリックス計算の数学解析、計量単純計算の数学解析、計量確率計算の数学解析を用いることによって、正確で極めて高精度の整合性のある診断方剤決定最終精度の％値を求めることが出来る。上記計量マトリックス漢方診断方法は、最適方剤を選定するための客観的指標になる効果がある。
【００３７】
また、上記漢方統一診断情報システムは、上記方剤基本データ編集方法と上記計量マトリックス漢方診断方法とでシステム設計されている漢方統一診断情報システムによって、全ての漢方医学に記載されている方剤の必要内容が、本発明の方剤基本データの編集方法により統合編集（基準編集）される。統合編集された方剤基本データのデータベースは、本発明の計量マトリックス漢方診断方法において、最適方剤を選定する客観的指標として有効に作用させることができる。つまり、漢方統一診断情報システムは、計量マトリックス計算の数学解析、計量単純計算の数学解析、計量確率計算の数学解析から正確で高精度の診断方剤決定最終精度の値から最適方剤を選定することが出来る。その結果、漢方薬の投薬・治療に際しての医療過誤を防止できるという効果がある。
【００３８】
また、上記漢方統一診断情報システムを構成している上記方剤基本データ編集方法により、方剤基本データ編集に必要なデータが入力され編集される。編集された方剤基本データ編集のデータは、データベース化される。そして、データベース化されたデータベースから漢方編纂に必要なデータを出力（検索・印刷）することによって、漢医学方剤学書・基礎漢方医学のテキストなどを編纂提供できる効果がある。
【００３９】
また、上記漢方統一診断情報システムを構成している上記方剤基本データ編集方法により、方剤基本データ編集に必要なデータが入力され編集される。編集された方剤基本データ編集のデータは、データベース化される。そして、データベース化されたデータベースから漢方教育（漢方医学講座）に必要なデータを出力（検索・印刷・表示）することによって、漢方教育のプレゼンテーションを提供できる効果がある。
【発明を実施するための最良の形態】
【００４０】
以下、本発明の実施の形態を示す図１では、漢方統一診断情報システムの構成概要を、図２では、方剤基本データ編集方法による方剤基本データ編集を実行するための手順の概要を、図３では、方剤基本データ編集方法による方剤基本データ編集を実行するための［診断方法］を、図４では、方剤基本データ編集方法による方剤基本データ編集を実行するための［四診断名］を、図５では、方剤基本データ編集方法による方剤基本データ編集を実行するための［病候］を、図６では、方剤基本データ編集方法による方剤基本データ編集を実行するための［病症名編集］を、図７では、方剤基本データ編集方法による方剤基本データ編集を実行するための［方剤編集］を、図８では、方剤基本データ編集方法による「方剤基本データ編集を実行するためのシステム構成の概要」を、図９では、方剤基本データ編集方法による方剤毎（２００≧ｎ）の代表方剤である麻杏甘石湯の「メイン系病候証個数・共通系病向証個数・サブ系病候証個数の初期値設定」を、図１０では、方剤基本データ編集方法による方剤毎（２００≧ｎ）の代表方剤である麻杏甘石湯の「病症名個数の初期値設定」を、図１１では、方剤基本データ編集方法による方剤毎（２００≧ｎ）の代表方剤である麻杏甘石湯の「方剤基本データ編集の初期値編集設定」を、図１２では、方剤基本データ編集方法による２００個（２００≧ｎ）の初期値編集設定を統合した「方剤基本データ編集の基準編集設定」を、図１３では、方剤基本データ編集方法での入力情報の定義の出所である漢方医学原典注釈書（原典書が基本）を、図１４では、方剤基本データ編集方法での入力情報の定義の出所である漢方医学方剤書を、図１５では、方剤基本データ編集方法での入力情報の定性データを配当設定する確定と、適合の確定と、病候証・薬効証の確定とを、図１６では、方剤基本データ編集方法での入力情報の計量化データを配当設定する確定と、適合の確定と、病候証・薬効証の確定とを、図１７では、方剤基本データ編集方法での方剤基本データ編集のための計量化データを配当設定する確定と、適合の確定と、病候証・薬効証の確定とを、図１８では、方剤基本データ編集方法での方剤基本データ編集のための入力情報の計量化のための相対加重度の値を配当設定する確定方法を、図１９では、方剤基本データ編集方法での方剤基本データ編集のための入力情報の計量化のための相対加重度の値を定式化した計算方法で変換させ配当設定する確定方法を、図２０では、方剤基本データ編集方法での方剤毎（２００≧ｎ）の代表方剤である麻杏甘石湯の初期値編集「方剤基本データ編集」を、図２１では、方剤基本データ編集方法での方剤１９個：１，２，・・・１９（２００≧ｎ）の統合編集した基準編集「方剤基本データ編集」を、図２２では、計量マトリックス漢方診断方法による計量化の計量化計算による実行手順の概要を、図２３では、計量マトリックス漢方診断方法による計量化の計量化計算による実行手順のフローチャート（論理設計）を、図２４では、計量マトリックス漢方診断方法による計量化の基準編集登録［診断基本観測値登録マトリックス］の登録内容構成を、図２５では、計量マトリックス漢方診断方法における実行手順である［診断選択精度登録マトリックス］ステップ１０７を、図２６では、計量マトリックス漢方診断方法における実行手順である［診断実際選択精度登録マトリックス］ステップ１０８を、図２７では、計量マトリックス漢方診断方法における実行手順である［診断方剤決定最終精度登録マトリックス］ステップ１０９を、図２８では、実際の漢方統一診断情報システムの実行手順の概要を、図２９では、実際の漢方診断における漢方統一診断情報システムの基本となるフローチャート（論理設計）を、図３０では、漢方統一診断情報システムにおける方剤基本データ編集方法による方剤毎（１９≧ｎ）の代表方剤である麻杏甘石湯の変更初期値設定を構成させるための[メイン系病候証個数・共通系病向証個数・サブ系病候証個数の変更初期値設定]を、図３１では、漢方統一診断情報システムにおける方剤基本データ編集方法による方剤毎（１９≧ｎ）の代表方剤である麻杏甘石湯の変更初期値設定を構成させるための[病症名個数の変更初期値設定]を、図３２では、漢方統一診断情報システムにおける方剤基本データ編集方法による方剤毎（１９≧ｎ）の代表方剤である麻杏甘石湯の変更初期値編集設定を構成させるための「方剤基本データ編集の変更初期値編集設定」を、図３３では、漢方統一診断情報システムにおける方剤基本データ編集方法による１９個（２００≧ｎ）の変更初期値編集設定を統合した[方剤基本データ編集の変更基準編集設定]を、図３４では、漢方統一診断情報システムにおける診断項目選択の［診断方法選択］ステップ１０１の実行手順を、図３５では、漢方統一診断情報システムにおける診断項目選択の［四診断精度選択］ステップ１０２の実行手順を、図３６では、漢方統一診断情報システムにおける診断項目選択の［診断・病症名チェック］ステップ１０３の実行手順を、図３７では、漢方統一診断情報システムにおける計量マトリックス漢方診断方法の変更基準編集登録［診断基本観測値登録マトリックス］を、図３８では、漢方統一診断情報システムにおける計量マトリックス漢方診断方法の［診断基本観測値登録マトリックス］ステップ１０４の実行手順を、図３９では、漢方統一診断情報システムにおける計量マトリックス漢方診断方法の［診断選択基本観測値登録マトリックス］ステップ１０５の実行手順を、図４０では、漢方統一診断情報システムにおける計量マトリックス漢方診断方法の［診断実際観測値登録マトリックス］ステップ１０６の実行手順を、図４１では、漢方統一診断情報システムにおける計量マトリックス漢方診断方法の［診断選択精度登録マトリックス］ステップ１０７の実行手順を、図４２では、漢方統一診断情報システムにおける計量マトリックス漢方診断方法の［診断実際選択精度登録マトリックス］ステップ１０８の実行手順を、図４３では、漢方統一診断情報システムにおける計量マトリックス漢方診断方法の［診断方剤決定最終精度登録マトリックス］ステップ１０９の実行手順を、図４４では、漢方統一診断情報システムにおける診断結果の「診断結果表示」ステップ１１０の実行手順を、図４５では、漢方統一診断情報システムにおける診断項目選択の［診断方法選択］ステップ１０１への復帰のステップ１１１の実行手順を実施する。また、数１〜８、数１２〜１９では、最適方剤を決定するための計量マトリックス漢方診断方法による[観測値登録マトリックス]ステップ１０４〜１０６での計量マトリックス計算の数学解析を、数９〜１１、数２０〜２２では、最適方剤を決定するための計量マトリックス漢方診断方法による[精度登録マトリックス]ステップ１０７〜１０９での計量単純計算の数学解析、計量確率計算の数学解析を実施する。上記方剤基本データ編集方法と、上記計量マトリックス漢方診断方法とで構成する上記漢方統一診断情報システムでは、実際の具体的事例（症例）に対して、真に最適方剤が決定されるかを、漢方統一診断情報システムのテストレビューで実施する。
【００４１】
漢方統一診断情報システムの構成の概要
図１は、診断システム編のフローチャート（論理設計）と、データ編集編のデータベース・管理システムとによって構成する漢方統一診断情報システムを示した概念図である。この詳細な構成は、診断システム編のフローチャート（論理設計）は、１．診断項目選択（（1）診断方法選択→（2）四診断精度選択→（3）診断・病症名チェック）と、２．計量マトリックス漢方診断方法（（4）診断基本観測値登録マトリックスでの計量マトリックス計算→（5）診断選択基本観測値登録マトリックスでの計量マトリックス計算→（6）診断実際観測値登録マトリックスでの計量マトリックス計算→（7）診断選択精度登録マトリックスでの計量単純計算→（8）診断実際選択精度登録マトリックスでの計量単純計算→（9）診断方剤決定最終精度登録マトリックスでの計量確率計算）と、３．診断結果（（10）診断結果表示→方剤決定ランキング→方剤最終決定）と、４．（11）診断項目選択（（1）診断方法選択の初期画面への復帰）とで構成されている。また、データ編集編は、５．［診断方法］データベースと、６．［四診断名］データベースと、７．[病候]データベースと、８．［病症名編集］データベースと、９．［方剤編集］データベースと、１０．［方剤基本データ編集］データベースと、１１．［診断方法］管理システムと、１２．［四診断名］管理システムと、１３．［病候］管理システムと、１４．［病症名編集］管理システムと、１５．［方剤編集］管理システムと、１６．［方剤基本データ編集］管理システムとによって構成する漢方統一診断情報システムの構成概要を示した図。
【００４２】
方剤基本データ編集方法  「方剤基本データ編集を実行するための手順の概要」
図２は、漢方統一診断情報システムのデータ編集編で方剤基本データ編集を実行するための手順の概要を示したもので、この詳細な実行手順は、１．［診断方法］→２．［四診断名］→３．［病候］グループ名⇔病候証名・病向証名→４．[病症名編集]病症名変更編集設定⇔病症名編集設定→５．［方剤編集］→６．［方剤基本データ編集］の実行手順の概要を示した図。図３は、方剤基本データ編集を実行するための必要要素であるメイン系病候・共通系病向・サブ系病候に対応する［診断方法］を示した図。図４は、方剤基本データ編集を実行するための基本要素（必要要素）である『全て選択』・『望診』・『聞診』・『問診』・『切診』の［四診断名］を示した図。図５は、方剤基本データ編集を実行するための基本要素（必要要素）である総数３個の系病候名のメイン系病候・共通系病向・サブ系病候と、総数１５個のグループ名の表裏・四要・四焦・熱寒・実虚・六淫・四傷・病向・裏表・四要・三焦・寒熱・虚実・六淫・四傷と、総数４８個の病候証名・病向証名との［病候］を示した図。図６は、方剤基本データ編集を実行するための必要要素である病症名の［病症名編集］を示した図。図７は、方剤基本データ編集を実行するための必要要素である方剤名の［方剤編集］を示した図。
【００４３】
方剤基本データ編集方法  「方剤基本データ編集を実行するためのシステム構成の概要」
図８は、方剤基本データ編集を実行するためのシステム構成の概要図で、［診断方法］管理システムと、［四診断名］管理システムと、［病候］管理システムと、［病症名編集］管理システムと、［方剤編集］管理システムと、［方剤基本データ編集］管理システムと、管理システムによって管理されている［診断方法］データベースと、［四診断名］データベースと、［病候］データベースと、［病症名編集］データベースと、［方剤編集］データベースとで構成する図３〜図７の必要要素で編集された[方剤基本データ編集] データベースとでのシステム構成の概要を示した図。
【００４４】
方剤基本データ編集方法  初期値設定「メイン系病候証個数・共通系病向証個数・サブ系病候証個数の初期値設定」
図９は、方剤毎（２００≧ｎ）の代表方剤である麻杏甘石湯の初期値編集設定を構成させるための初期値設定を実行したもので、メイン系病候に対応する総計３０００個の病候証と、共通系病向に対応する総計８００個の病向証と、サブ系病候に対応する総計５８００個の病候証との総計９６００個（９６００≧ｎ）とで構成する初期値設定を示した図。
【００４５】
方剤基本データ編集方法  初期値設定「病症名個数の初期値設定」
図１０は、方剤毎（２００≧ｎ）の代表方剤である麻杏甘石湯の初期値編集設定を構成させるための初期値設定を実行したもので、病症名個数５００個（５００≧ｎ）で構成する初期値設定を示した図。
【００４６】
方剤基本データ編集方法  初期値編集設定「方剤基本データ編集の初期値編集設定」
図１１は、上記図９、図１０の初期値設定の必要要素を用いて、方剤毎（２００≧ｎ）の代表方剤である麻杏甘石湯の初期値編集設定を実行したしたもので、その方剤基本データ編集の初期値編集設定は、図２０の初期値編集［方剤基本データ編集］に完全シフトする。この初期値編集設定構成は、メイン系病候に対応する総計３０００個の病候証と、共通系病向に対応する総計８００個の病向証と、サブ系病候に対応する総計５８００個の病候証との総計９６００個（９６００≧ｎ）で構成する病候証・病向証と、５００個（５００≧ｎ）の病症名と、麻杏甘石湯の診断方剤基本観測値の和の値の総和＝９３と、マトリックスの要素個数aijの総和＝４８０００００とで構成する方剤基本データ編集の初期値編集設定を示した図。
【００４７】
方剤基本データ編集方法  基準編集設定「方剤基本データ編集の基準編集設定」
図１２は、上記図１１の２００個（２００≧ｎ）の方剤基本データ編集の初期値編集設定を統合した基準編集設定である。その方剤基本データ編集の基準編集設定は、図２１の基準編集［方剤基本データ編集］、図２４の基準編集登録［診断基本観測値登録マトリックス］に完全シフトする。この編集設定構成は、メイン系病候の→１．表裏（２００個）２．四要（２００個）３．四焦（２００個）４．熱寒（２００個）５．実虚（２００個）６．燥（２００個）７．湿（２００個）８．風（２００個）９．火（２００個）１０．暑（２００個）１１．寒（２００個）１２．気（２００個素）１３．血（２００個）１４．痰（２００個）１５．鬱（２００個）の総計３０００個の病候証と、共通系病向の→１．升（２００個）２．降（２００個）３．散（２００個）４．収（２００個）の総計８００個の病向証と、サブ系病候の→１．裏（２００個）２．裏（２００個）３．表（２００個）４．表（２００個）５．衛（２００個）６．気（２００個）７．営（２００個）８．血（２００個）９．上焦（２００個）１０．中焦（２００個）１１．下焦（２００個）１２．寒（２００個）１３．寒（２００個）１４．熱（２００個）１５．熱（２００個）１６．虚（２００個）１７．虚（２００個）１８．実（２００個）１９．実（２００個）２０．燥（２００個）２１．湿（２００個）２２．風（２００個）２３．火（２００個）２４．暑（２００個）２５．寒（２００個）２６．気（２００個）２７．血（２００個）２８．痰（２００個）２９．鬱（２００個）の総計５８００個の病候証との総計９６００個（９６００≧ｎ）で構成する病候証・病向証と、２００個（２００≧ｎ）の方剤の診断方剤基本観測値の和の値の総和の値と、マトリックスの要素個数aijの総和＝４８０００００個と、５００個（５００≧ｎ）の病症名とで構成する方剤基本データ編集の基準編集設定を示した図。
【００４８】
方剤基本データ編集方法  「方剤基本データ編集のための入力情報の定義」
図１３は、方剤毎（２００≧ｎ）の代表方剤である麻杏甘石湯の[方剤基本データ編集]の各病症名（症状名）に対応する定性データである病候証・病向証の該当交点セルに、計量化・定量化のための１か０の計量化データを配当設定する確定方法と、病症名（病状名）の重要度１．２．３．４．５（１．とても低い２．低い３．普通４．高い５．とても高い）の相対加重度の値を配当設定する確定方法との出所である漢方医学書の「傷寒論評注」を挙げ、方剤基本データ編集のための入力情報の定義の出所である漢方医学原典注釈書（原典書が基本）を示した図。
【００４９】
図１４は、方剤毎（２００≧ｎ）の代表方剤である麻杏甘石湯の[方剤基本データ編集]の各病症名（症状名）に対応する定性データである病候証・病向証の該当交点セルに、計量化・定量化のための１か０の計量化データを配当設定する確定方法と、病症名（病状名）の重要度１．２．３．４．５（１．とても低い２．低い３．普通４．高い５．とても高い）の相対加重度の値を配当設定する確定方法との出所である漢方医学の原典書・原典注釈書の不備を訂正・改訂して編纂されまとめられた漢方方剤学書のテキストである「中医処方解説」・「中医臨床のための方剤学」を挙げ、方剤基本データ編集のための入力情報の定義の出所である漢方医学方剤書を示した図。
【００５０】
図１５は、図１３で示した原典注釈書の「傷寒論評注」を参考に、メイン系病候に対応する総計３０００個の病候証と、共通系病向に対応する総計８００個の病向証と、サブ系病候に対応する総計５８００個の病候証との総計９６００個（９６００≧ｎ）の中から選択したメイン系病候に対応する総計６００個の病候証と、サブ系病候に対応する総計２０００個の病候証との総計２６００個（９６００≧ｎ）と、病症名の個数が９個（５００≧ｎ）とで構成するもので、No．1表裏→表・裏と、No．4熱寒→熱・寒と、No．5実虚→実・虚と、No．9裏表→裏・表と、No．１２寒熱→寒・寒・熱・熱と、No．１３虚実→虚・虚・実・実の病候証と、口渇・無汗・強い発熱（稽留熱）・強い熱感（ほてり）・黄稠（粘）少痰・強い呼吸困難・とても強い咳・黄燥苔・脈滑数（脈数滑）の病症名とで編集・構成する麻杏甘石湯の[方剤基本データ編集]の各病症名（症状名）に対応する病候証との該当交点セルに、定性データである病候証の表・裏・熱・寒・実・虚を配当設定する確定と、麻杏甘石湯の各病症名（症状名）に対応する病候証パターンと各薬物の薬効証パターンとを適合比較する各薬物の薬効証の適合＝１・不適合＝０の確定と、各病候証の総和の総体病候証である表熱実裏熱実証の確定と、各薬効証の総和の総体薬効証である表寒実裏寒寒実証の確定とを挙げ、方剤基本データ編集のための入力情報の定性データを配当設定する確定と、適合の確定と、病候証・薬効証の確定とを示した図。
【００５１】
図１６は、麻杏甘石湯の[方剤基本データ編集]の各病症名（症状名）に対応する病候証との該当交点セルに、定性データである病候証の表・裏・熱・寒・実・虚を配当設定するかわりに、各病症名（症状名）に対応する病候証の該当交点セルに、計量化・定量化のための１か０の計量化データを配当設定する確定と、麻杏甘石湯の各病症名（症状名）に対応する病候証パターンと、各薬物の薬効証パターンとを適合比較する各薬物の薬効証の適合＝１・不適合＝０の確定と、各病候証の総和の総体病候証である表熱実裏熱実証の確定と、各薬効証の総和の総体薬効証である表寒実裏寒寒実証の確定とを挙げ、方剤基本データ編集のための入力情報の計量化データを配当設定する確定と、適合の確定と、病候証・薬効証の確定とを示した図。
【００５２】
図１７は、図１５、図１６とで統合した入力情報を配当設定した方剤毎（２００≧ｎ）の代表方剤である麻杏甘石湯の [方剤基本データ編集]を示し、各病症名（症状名）に対応する病候証との該当交点セルに、定性データである病候証の表・裏・熱・寒・実・虚を配当設定する確定と、各病症名（症状名）に対応する各病候証との交点セルに、計量化・定量化のための１か０の計量化データを配当設定する確定と、麻杏甘石湯の各病症名（症状名）に対応する病候証パターンと各薬物の薬効証パターンとを適合比較する各薬物の薬効証の適合＝１・不適合＝０の確定と、各病候証の総和の総体病候証である表熱実裏熱実証の確定と、各薬効証の総和の総体薬効証である表寒実裏寒寒実証の確定とを挙げ、方剤基本データ編集のための入力情報の定性データと、計量化データの配当設定する確定と、適合の確定と、病候証・薬効証の確定とを示したもので、麻杏甘石湯の証は、図１５を見て解るように総体病候証は、表熱実裏熱実証の証で確定されている。本来、麻杏甘石湯の証を確定するには、各病症名（症状名）に対応する各病候証→総体病候証のパターンと各薬効証→総体薬効証のパターンが、完全に一致することが望ましいが、実際、おこなわれている確定方法は、各病候証→総体病候証パターンと、各薬効証→総体薬効証パターンとの混交から推定確定され、方剤の証の確定がなされているため整合性が乏しい確定方法であると検証出来る。このような整合性が乏しい確定方法を、整合性のある確定方法にするには、漢方医学原典書・漢方医学方剤書などのテキストから、病機を詳細に研鑽し、その研鑽した病機から精選された各病症名（症状名）に対応する各病候証→総体病候証のパターンを抽出確定することによって整合性のある確定方法が構築される。たとえば、図１５と図１６とで麻杏甘石湯の口渇の病候証パターンと石膏の薬効証パターンとを適合比較検証してみると、口渇の病候証パターンは表熱実裏熱実証、石膏の薬効証パターンは裏熱実証で一致しない。つまり、不適合＝０と判定される。麻杏甘石湯の各病症名（症状名）に対応する各病候証パターンと各薬効証パターンとが適合するのは、無汗＝麻黄だけであって、全体適合確率に対する適合確率は、１÷９＝１１％で低く方剤の証を確定する方法としては問題を指摘することができる。ゆえに、各病候証→総体病候証パターンを基準として、方剤の証を抽出確定する方法が、最善な確定方法であると検証できる。
【００５３】
つまり、上記した方剤の証を確定する方法を考慮した麻杏甘石湯の各病症名（症状名）に対応する病候証の該当交点セルに、定性データである病候証の表・裏・熱・寒・実・虚を配当設定する確定と、各病症名（症状名）に対応する病候証の該当交点セルに、計量化・定量化のための１か０の計量化データを配当設定する確定と、各病症名に対応する病候証パターンと各薬物の薬効証パターンとを適合比較する各薬物の薬効証の適合＝１・不適合＝０の確定と、各病候証の総和の総体病候証である表熱実裏熱実証の確定と、各薬効証の総和の総体薬効証である表寒実裏寒寒実証の確定を示した図。
【００５４】
図１８は、図１５、図１６、図１７の入力情報を配当設定した麻杏甘石湯の[方剤基本データ編集]を示し、各病症名（症状名）に対応する病候証の該当交点セルに、計量化・定量化のための病症名（病状名）の重要度１．２．３．４．５（１．とても低い２．低い３．普通４．高い５．とても高い）の相対加重度の値を配当設定する確定方法を示したものである。相対加重度の値の配当設定の確定方法は、各病症名（症状名）に対応する病候証で構成されるメイン系病候・共通系病向・サブ系病候の該当交点セルに、３を中央値（メジアン）として病症名（病状名）の重要度１．２．３．４．５（１．とても低い２．低い３．普通４．高い５．とても高い）の相対加重度の値で重み付けによる配当設定を確定させる。たとえば、麻杏甘石湯において病症名（症状名）の口渇に３の重み付けを配当設定すると、メイン系病候の病候証の表・熱・実の該当交点セルに３の値と、サブ系病候の病候証の裏・熱・実の該当交点セルに３の値が、配当設定され確定される。
【００５５】
つまり、相対加重度３の値をメイン系病候であるＮｏ．１（表裏→表→３）・Ｎｏ．４（熱寒→熱→３）・Ｎｏ．５（実虚→実→３）の３個の病候証の該当交点セルへの配当設定する確定と、サブ系病候であるＮｏ．２０（裏表→裏→３）・Ｎｏ．３３（寒熱→熱→３）・Ｎｏ．３７（虚実→実→３）の３個の病候証の該当交点セルへの配当設定する確定とで、方剤基本データ編集のための計量化の相対加重度の値を配当設定する確定方法を示した図。
【００５６】
図１９は、図１８で上記した相対加重度の値の配当設定の確定方法によって、方剤の各病症名（症状名）の重要度１．２．３．４．５（１．とても低い２．低い３．普通４．高い５．とても高い）の相対加重度の値の重み付けを配当設定されている各病症名（症状名）に対応する病候証の該当交点セルに、病症名（症状名）の重要度１．２．３．４．５（１．とても低い２．低い３．普通４．高い５．とても高い）の相対加重度の値を定式化した計算方法で変換させ、変換させた相対加重度の値が、病症名（症状名）に対応する病候証の該当交点セルに配当設定の確定がされたものである。たとえば、麻杏甘石湯における病症名（症状名）の口渇に対する相対加重度の値の重み付けは、表裏の病候証の相対加重度の値の３が２個ある場合、３÷２＝１．5の値（１個に配当されている場合、３÷１＝３の値）をメイン系病候であるＮｏ．１（表裏→表→１．５）・サブ系病候であるＮｏ．２０（裏表→裏→１．５）を定式化した計算方法で変換させ配当設定する確定と、熱寒の病候証の相対加重度の値の３が２個ある場合、３÷２＝１．５の値（１個に配当されている場合、３÷１＝３の値）をメイン系病候であるＮｏ．４（熱寒→熱→１．５）・サブ系病候であるＮｏ．３３（寒熱→熱→１．５）を定式化した計算方法で変換させ配当設定する確定と、実虚の病候証の相対加重度の値の３が２個ある場合、３÷２＝１．５の値（１個に配当されている場合、３÷１＝３の値）をメイン系病候であるＮｏ．５（実虚→実→１．５）・サブ系病候であるＮｏ．３７（虚実→実→１．５）を定式化した計算方法で変換させ配当設定する確定とで実行する。
【００５７】
つまり、メイン系病候であるＮｏ．１（表裏→表３．０→１．５に変換）・サブ系病候であるＮｏ．２０（裏表→裏３．０→１．５に変換）と、メイン系病候であるＮｏ．４（熱寒→熱３．０→１．５に変換）・サブ系病候であるＮｏ．３３（寒熱→熱３．０→１．５に変換）と、メイン系病候であるＮｏ．５（実虚→実３．０→１．５に変換）・サブ系病候であるＮｏ．３７（虚実→実３．０→１．５に変換）の変換→配当設定の確定とで、方剤基本データ編集のための入力情報の計量化のための相対加重度の値を定式化した計算方法で変換させ配当設定する確定方法を示した図。
【００５８】
方剤基本データ編集方法    初期値編集「方剤基本データ編集」
図２０は、図１１の初期値編集設定方法によって編集され、完全シフトさせた初期値編集「方剤基本データ編集」を示した図で、図１３、図１４、図１５、図１６、図１７、図１８、図１９で上記した定性データを計量化・定量化データに変換、配当設定する確定方法の出所である漢方医学原典注釈書・漢方医学方剤書などの精選方法と、→各病症名（症状名）に対応する病候証・病向証の該当交点セルに定性データである表・裏・熱・寒・実・虚などを配当設定する確定方法と、→各病症名（症状名）に対応する病候証・病向証の該当交点セルに計量化・定量化のための１か０の値を配当設定する確定方法と、→各病症名（症状名）に対応する病候証・病向証の該当交点セルに計量化・定量化のための病症名（病状名）の重要度１．２．３．４．５（１．とても低い２．低い３．普通４．高い５．とても高い）の相対加重度の値を配当設定する確定方法と、→各病症名（症状名）に対応する病候証・病向証との該当交点セルに計量化・定量化のための定式化した計算方法で病症名（病状名）の重要度１．２．３．４．５（１．とても低い２．低い３．普通４．高い５．とても高い）の相対加重度の値を変換、配当設定する確定方法とによって初期値編集「方剤基本データ編集」されたものである。また、方剤毎（２００≧ｎ）の代表方剤である麻杏甘石湯の初期値編集「方剤基本データ編集」の内容構成は、２００個の方剤（方剤の編集・登録個数は２００までは、自由に変更設定できる。）×４８（病候証名・病向証名の個数）＝９６００個（９６００≧ｎ）のメイン系病候・共通系病向・サブ系病候と、診断方剤基本観測値の和の値の総和である９３と、マトリックスの要素個数aij＝８６４００個と、病症名の総数が９個（５００≧ｎ）とで編集構成された方剤毎（２００≧ｎ）の代表方剤である麻杏甘石湯の初期値編集「方剤基本データ編集」を示した図。
【００５９】
方剤基本データ編集方法    基準編集「方剤基本データ編集」
図２１は、図１２の基準編集設定方法によって編集され、完全シフトさせた基準編集「方剤基本データ編集」を示した図で、さらに、図２４の基準編集登録［診断基本観測値登録マトリックス］に完全シフトする。つまり、図２０で上記した初期値編集「方剤基本データ編集」の編集方法によって編集した２００個の初期値編集「方剤基本データ編集」を統合編集した基準編集「方剤基本データ編集」を示したものである。また、統合編集された基準編集「方剤基本データ編集」は、計量マトリックス漢方診断方法及び漢方統一診断情報システムにおける計量化のマトリックスの数学解析の実行のための基準となる基準編集登録［診断基本観測値登録マトリックス］にシフトする。また、基準編集「方剤基本データ編集」の内容構成は、２００個の方剤（方剤の編集・登録個数は２００個までは、自由に変更設定できる。）×４８（病候症名・病向症名の個数）＝９６００個（９６００≧ｎ）のメイン系病候・共通系病向・サブ系病候と、診断基本観測値の和の値の総和の値と、マトリックスの要素個数aij＝ ４８０００００個と、病症名の総数が５００個（５００≧ｎ）とで編集構成された基準編集「方剤基本データ編集」を示した図。
【００６０】
計量マトリックス漢方診断方法  「計量化計算による実行手順の概要」
図２２は、漢方統一診断情報システムにおける診断システム編での、計量マトリックス漢方診断方法の実行手順を示したものである。その実行手順は、［診断基本観測値登録マトリックス］ステップ１０４と、→［診断選択基本観測値登録マトリックス］ステップ１０５と、→［診断実際観測値登録マトリックス］ステップ１０６と、→［診断選択精度登録マトリックス］ステップ１０７と、→［診断実際選択精度登録マトリックス］ステップ１０８と、→［診断方剤決定最終精度登録マトリックス］ステップ１０９との６つのステップで構成される計量化のための計量化計算による実行手順の概要を示した図。
【００６１】
図２３は、漢方統一診断情報システムにおける診断システム編でのフローチャート（論理設計）において、最適方剤を選定する際の指標となる診断方剤決定最終精度の値を導き出すための計量化計算による実行手順を示した図である。その実行手順は、診断方法の区分を選択する［診断方法選択］ステップ１０１と、病症名の区分の『全て選択』・『望診』・『聞診』・『問診』・『切診』を選択する［四診断精度選択］ステップ１０２と、病症名の区分を再選択する［診断・病症名チェック］ステップ１０３との命令・実行手順によって、（１）［診断基本観測値登録マトリックス］ステップ１０４の診断基本観測値の和の値→計量マトリックス計算と、（２）［診断選択基本観測値登録マトリックス］ステップ１０５の診断選択基本観測の和の値→計量マトリックス計算と、（３）［診断実際観測値登録マトリックス］ステップ１０６の診断実際観測値の和の値→計量マトリックス計算と、（４）［診断選択精度登録マトリックス］ステップ１０７の診断選択精度の値→計量単純計算と、（５）［診断実際選択精度登録マトリックス］ステップ１０８の診断実際選択精度の値→計量単純計算と、（６）［診断方剤決定最終精度登録マトリックス］ステップ１０９の診断方剤決定最終精度の％値→計量確率計算との実行手順ステップを、計量化計算による実行手順のフローチャート（論理設計）で示した図。
【００６２】
計量マトリックス漢方診断方法  基準編集登録［診断基本観測値登録マトリックス］の登録内容構成
図２４は、図２１で上記した基準編集「方剤基本データ編集」を完全シフトさせた基準編集登録［診断基本観測値登録マトリックス］を示したものである。その登録内容構成は、メイン系病候・共通系病向・サブ系病候に対応する総数９６００個（９６００≧ｎ）の病候証・病向証と、診断基本観測値の和の値の総和の値と、マトリックスの要素個数aijの総和＝４８０００００個と、病症名の総数が５００個（５００≧ｎ）とで編集構成している登録内容構成を示した図。
【００６３】
以下に、最適方剤を選定するための計量マトリックス漢方診断方法の計量化計算による基準となる基準編集登録［診断基本観測値登録マトリックス］→［診断基本観測値登録マトリックス］ステップ１０４→［診断選択基本観測値登録マトリックス］ステップ１０５→［診断実際観測値登録マトリックス］ステップ１０６→［診断選択精度登録マトリックス］ステップ１０７→［診断実際選択精度登録マトリックス］ステップ１０８→［診断方剤決定最終精度登録マトリックス］ステップ１０９の実行手順を説明していく。
【００６４】
計量マトリックス漢方診断方法  基準編集登録［診断基本観測値登録マトリックス］
数１は、図２１で上記した基準編集「方剤基本データ編集」を完全シフトさせた図２４の基準編集登録［診断基本観測値登録マトリックス］の行列の要素（aij）の条件を、５００≧ｉ（ｎ），９６００≧ｊ（ｎ），aij：ｉ＝１，２，・・・５００，ｊ＝１，２，・・・９６００と定義した総数９６００個（９６００≧ｎ）の病候証・病向証と、総数５００個（５００≧ｎ）の病症名とで構成する基準編集登録［診断基本観測値登録マトリックス］での各列（１，２，・・・・，９６００）に対応する診断基本観測値の和（対応要素の和＝ΣＸi）の値であるシグマ、ｉ＝1から５００までの和（対応要素の和）の値を求めるための数学の証明を示した数式と、［診断基本観測値登録マトリックス］での和の行列と転置行列とで、和の値の総和の値を求めるための計量マトリックス計算の証明とを示した数式。
【００６５】
【数１】
2006065718.tif 000003
【００６６】
表１は、基準編集登録［診断基本観測値登録マトリックス］において、数１で上記した９６００個（９６００≧ｎ）の病候証・病向証の診断基本観測値の和（対応要素の和＝ΣＸi）の値を、病候証・病向証グループ名個数１，２，・・・４８（４８≧ｎ）の横（行）と、方剤個数１，２，・・・２００（２００≧ｎ）の縦（列）とで構成されるマトリックス表に配当入力した和（対応要素の和＝ΣＸi）の値と、和（対応要素の和＝ΣＸi）の値の総和の値とを求めるための和の行列（マトリックス）表と、９６００個（９６００≧ｎ）の病候証・病向証の診断基本観測値の和（対応要素の和＝ΣＸi）の値を、方剤個数１，２，・・・２００（２００≧ｎ）の横（行）と、病候証・病向証グループ名個数１，２，・・・４８（４８≧ｎ）の縦（列）とで構成されるマトリックス表に配当入力した和（対応要素の和＝ΣＸi）の値と、和（対応要素の和＝ΣＸi）の値の総和の値とを求めるための転置行列（マトリックス）表とで、具体的に数２の計量マトリックス計算の式の証明を示したマトリックス表。
【００６７】
【表１】
2006065718.tif 000004
【００６８】
数２は、表１において、行列の要素（aij）の条件を、和の行列→４８≧ｉ（ｎ），２００≧j（ｎ），aij：ｉ＝１，２，・・・４８，ｊ＝１，２，・・・２００  転置行列→２００≧ｉ（ｎ），４８≧j（ｎ），aij：ｉ＝１，２，・・・２００，ｊ＝１，２，・・・４８と定義した９６００個（９６００≧ｎ）の診断基本観測値の和（対応要素の和＝ΣＸi）の値を、和の行列（マトリックス）表と，転置行列（マトリックス）表とに配当入力した診断基本観測値の和（対応要素の和＝ΣＸi）の値の総和の値を求める計量マトリックス計算で、具体的に表１の証明を示した数式。
【００６９】
【数２】
2006065718.tif 000005
【００７０】
計量マトリックス漢方診断方法［診断基本観測値登録マトリックス］ステップ１０４
数３は、［診断方法選択］ステップ１０１での、命令・実行によって、数１で上記した基準編集登録［診断基本観測値登録マトリックス］の９６００個（９６００≧ｎ）の診断基本観測値の和（対応要素の和＝ΣＸi）の値から、診断基本観測値の和（対応要素の和＝ΣＸi）の値のｎ個（９６００≧ｎ）を選択した［診断基本観測値登録マトリックス］ステップ１０４を示したものである。また、数３は、［診断基本観測値登録マトリックス］ステップ１０４での行列の要素（aij）の条件を、５００≧ｉ（ｎ），９６００≧ｊ（ｎ），aij：ｉ＝１，２，・・・５００，ｊ＝１，２，・・・ｎと定義したメイン系病候・共通系病向・サブ系病候に対応する病候証・病向証個数ｎ個（９６００≧ｎ）の病候証・病向証と、病症名個数５００個（５００≧ｎ）の病症名とで構成する各列（１，２，・・・・，ｎ）に対応する診断基本観測値の和（対応要素の和＝ΣＸi）の値であるシグマ、ｉ＝から５００までの和（対応要素の和）の値を求めるための数学の証明を示した数式と、［診断基本観測値登録マトリックス］ステップ１０４での和の行列と転置行列とで、和の値の総和の値を求めるための計量マトリックス計算の証明とを示した数式。
【００７１】
【数３】
2006065718.tif 000006
【００７２】
表２は、［診断基本観測値登録マトリックス］ステップ１０４において、数３で上記したメイン系病候・共通系病向・サブ系病候に対応する病候証・病向証個数ｎ個（９６００≧ｎ）の病候証・病向証の診断選択基本観測値の和（対応要素の和＝ΣＸi）の値を、病候証・病向証グループ名個数１，２，・・・４８（４８≧ｎ）の横（行）と、方剤個数１，２，・・・２００（２００≧ｎ）の縦（列）とで構成されるマトリックス表に配当入力する。また、表２は、和（対応要素の和＝ΣＸi）の値と、和（対応要素の和＝ΣＸi）の値の総和の値とを求めるための和の行列（マトリックス）表と、ｎ個（９６００≧ｎ）の病候証・病向証の診断基本観測値の和（対応要素の和＝ΣＸi）の値を、方剤個数１，２，・・・２００（２００≧ｎ）の横（行）と、病候証・病向証グループ名個数１，２，・・・４８（４８≧ｎ）の縦（列）とで構成されるマトリックス表に配当入力した和（対応要素の和＝ΣＸi）の値と、和（対応要素の和＝ΣＸi）の値の総和の値とを求めるための転置行列（マトリックス）表とで、具体的に数４の計量マトリックス計算の式の証明を示したマトリックス表。
【００７３】
【表２】
2006065718.tif 000007
【００７４】
数４は、表２において、行列の要素（aij）の条件を、和の行列→４８≧ｉ（ｎ），２００≧j（ｎ），aij：ｉ＝１，２，・・・ｎ，ｊ＝１，２，・・・２００  転置行列→２００≧ｉ（ｎ），４８≧j（ｎ），aij：ｉ＝１，２，・・・２００，ｊ＝１，２，・・・ｎと定義したｎ個（９６００≧ｎ）の診断選択基本観測値の和（対応要素の和＝ΣＸi）の値を、和の行列（マトリックス）表と，転置行列（マトリックス）表とに配当入力した診断選択基本観測値の和（対応要素の和＝ΣＸi）の値の総和の値を求める計量マトリックス計算で、具体的に表２の証明を示した数式。
【００７５】
【数４】
2006065718.tif 000008
【００７６】
計量マトリックス漢方診断方法［診断選択基本観測値登録マトリックス］ステップ１０５
数５は、［四診断精度選択］ステップ１０２での、『全て選択』・『望診』・『聞診』・『問診』・『切診』の選択の命令・実行によって、数３で上記した［診断基本観測値登録マトリックス］ステップ１０４の病症名個数５００個（５００≧ｎ）の中から病症名個数ｎ個（５００≧ｎ）を選択した［診断選択基本観測値登録マトリックス］ステップ１０５を示したものである。また、数５は、［診断選択基本観測値登録マトリックス］ステップ１０５での行列の要素（aij）の条件を、５００≧ｉ（ｎ），９６００≧j（ｎ），aij：ｉ＝１，２，・・・ｎ，ｊ＝１，２，・・・ｎと定義したメイン系病候・共通系病向・サブ系病候に対応する病候証・病向証個数ｎ個（９６００≧ｎ）の病候証・病向証と、病症名個数ｎ個（５００≧ｎ）病症名とで構成する［診断選択基本観測値登録マトリックス］ステップ１０５での各列（１，２，・・・・，ｎ）に対応する診断選択基本観測値の和（対応要素の和＝ΣＸi）の値であるシグマ、ｉ＝1からｎまでの和（対応要素の和）の値を求めるための数学の証明を示した数式と、［診断選択基本観測値登録マトリックス］ステップ１０５での和の行列と転置行列とで、和の値の総和の値を求めるための計量マトリックス計算の証明とを示した数式。
【００７７】
【数５】
2006065718.tif 000009
【００７８】
表３は、［診断選択基本観測値登録マトリックス］ステップ１０５において、数３で上記した［診断基本観測値登録マトリックス］ステップ１０４の病症名個数５００個（５００≧ｎ）から病症名個数ｎ個（５００≧ｎ）を選択した数１４で上記した［診断選択基本観測値登録マトリックス」ステップ１０５で、数学計算（ΣＸi）されたメイン系病候・共通系病向・サブ系病候に対応する病候証・病向証個数ｎ個（９６００≧ｎ）の病候証・病向証の診断選択基本観測値の和（対応要素の和＝ΣＸi）の値を、病候証・病向証グループ名個数１，２，・・・ｎ（４８≧ｎ）の横（行）と、方剤個数１，２，・・・２００（２００≧ｎ）の縦（列）とで構成されるマトリックス表に配当入力する。また、表３は、和（対応要素の和＝ΣＸi）の値と、和（対応要素の和＝ΣＸi）の値の総和の値とを求めるための和の行列（マトリックス）表と、ｎ個（９６００≧ｎ）の病候証・病向証の診断選択基本観測値の和（対応要素の和＝ΣＸi）の値を、方剤個数１，２，・・・２００（２００≧ｎ）の横（行）と、病候証・病向証グループ名個数１，２，・・・ｎ（４８≧ｎ）の縦（列）とで構成されるマトリックス表に配当入力した和（対応要素の和＝ΣＸi）の値と、和（対応要素の和＝ΣＸi）の値の総和の値とを求めるための転置行列（マトリックス）表とで、具体的に数６のマトリックスの数学の式の証明を示したマトリックス表。
【００７９】
【表３】
2006065718.tif 000010
【００８０】
数６は、表３において、行列の要素（aij）の条件を、和の行列→４８≧ｉ（ｎ），２００≧j（ｎ），aij：ｉ＝１，２，・・・ｎ，ｊ＝１，２，・・・２００  転置行列→２００≧ｉ（ｎ），４８≧j（ｎ），aij：ｉ＝１，２，・・・２００，ｊ＝１，２，・・・ｎと定義したｎ個（９６００≧ｎ）の診断選択基本観測値の和（対応要素の和＝ΣＸi）の値を、和の行列（マトリックス）表と，転置行列（マトリックス）表とに配当入力した診断選択基本観測値の和（対応要素の和＝ΣＸi）の値の総和の値を求める計量マトリックス計算で、具体的に表３の証明を示した数式。
【００８１】
【数６】
2006065718.tif 000011
【００８２】
計量マトリックス漢方診断方法［診断実際観測値登録マトリックス］ステップ１０６
数７は、上記［診断・病症名チェック］ステップ１０３での、病症名の選択の命令・実行によって、数５で上記した［診断選択基本観測値登録マトリックス］ステップ１０５の病症名個数ｎ個（５００≧ｎ）から病症名個数ｍ（ｎ≧ｍ）を再度、選択した［診断実際観測値登録マトリックス］ステップ１０６を示したものである。また、数７は、［診断実際観測値登録マトリックス］ステップ１０６での行列の要素（aij）の条件を、５００≧ｉ（ｎ），９６００≧j（ｎ），aij：ｉ＝１，２，・・・ｍ，ｊ＝１，２，・・・ｎと、定義したメイン系病候・共通系病向・サブ系病候に対応する病候証・病向証個数ｎ個（９６００≧ｎ）の病候証・病向証と、病症名個数ｍ個（ｎ≧ｍ）の病症名とで構成する［診断実際観測値登録マトリックス］ステップ１０６での各列（１，２，・・・・，ｎ）に対応する診断実際観測値の和（対応要素の和＝ΣＸi）の値であるシグマ、ｉ＝1からｍまでの和（対応要素の和）の値を求めるための数学の証明を示した数式と、［診断実際観測値登録マトリックス］ステップ１０６での和の行列と転置行列とで、和の値の総和の値を求めるための計量マトリックス計算の証明とを示した数式。
【００８３】
【数７】
2006065718.tif 000012
【００８４】
表４は、上記［診断・病症名チェック］ステップ１０３での、病症名の選択の命令・実行によって、数５で上記した［診断選択基本観測値登録マトリックス］ステップ１０５の病症名個数ｎ個（５００≧ｎ）から、病症名個数ｍ個（ｎ≧ｍ）を再度、選択した［診断実際観測値登録マトリックス］ステップ１０６で、数学計算（ΣＸi）されたメイン系病候・共通系病向・サブ系病候に対応するｎ個（９６００≧ｎ）の病候証・病向証の診断実際観測値の和（対応要素の和＝ΣＸi）の値を、病候証・病向証グループ名個数１，２，・・・ｎの横（行）と、方剤個数１，２，・・・２００（２００≧ｎ）の縦（列）とで構成されるマトリックス表に配当入力する。また、表４は、和（対応要素の和＝ΣＸi）の値と、和（対応要素の和＝ΣＸi）の値の総和の値とを求めるための和の行列（マトリックス）表と、ｎ個（９６００≧ｎ）の病候証・病向証の診断実際観測値の和（対応要素の和＝ΣＸi）の値を、方剤個数１，２，・・・２００（２００≧ｎ）の横（行）と、病候証・病向証グループ名個数１，２，・・・ｎの縦（列）とで構成されるマトリックス表に配当入力した和（対応要素の和＝ΣＸi）の値と、和（対応要素の和＝ΣＸi）の値の総和の値とを求めるための転置行列（マトリックス）表とで、具体的に数８の計量マトリックス計算の式の証明を示したマトリックス表。
【００８５】
【表４】
2006065718.tif 000013
【００８６】
数８は、表４において、行列の要素（aij）の条件を、和の行列→４８≧ｉ（ｎ），２００≧j（ｎ），aij：ｉ＝１，２，・・・ｎ，ｊ＝１，２，・・・２００  転置行列→２００≧ｉ（ｎ），４８≧ｊ（ｎ），aij：ｉ＝１，２，・・・２００，ｊ＝１，２，・・・ｎと定義したｎ個（９６００≧ｎ）の診断実際観測値の和（対応要素の和＝ΣＸi）の値を、和の行列（マトリックス）表と，転置行列（マトリックス）表とに配当入力した診断実際観測値の和（対応要素の和＝ΣＸi）の値の総和の値を求める計量マトリックス計算で、具体的に表４の証明を示した数式。
【００８７】
【数８】
2006065718.tif 000014
【００８８】
計量マトリックス漢方診断方法［診断選択精度登録マトリックス］ステップ１０７
図２５は、漢方統一診断情報システムの計量マトリックス漢方診断方法における実行手順である［診断選択精度登録マトリックス］ステップ１０７を示している。その手順は、上記表３[n個の診断選択基本観測値の転置行列マトリックス表]での方剤毎の１，２，・・・２００（２００≧ｎ）の診断選択基本観測値の和（対応要素の和＝ΣＸi）の値を、上記表１[９６００個の診断基本観測値の転置行列マトリックス表]での方剤毎の１，２，・・・２００（２００≧ｎ）の診断基本観測値の和（対応要素の和＝ΣＸi）の値で除した方剤毎の１，２，・・・２００（２００≧ｎ）の診断選択精度の値を求めるための［診断選択精度登録マトリックス］ステップ１０７によって実行される実行手順を示した図。
【００８９】
数９は、上記表３[n個の診断選択基本観測値の転置行列マトリックス表]での方剤毎の１，２，・・・２００（２００≧ｎ）の診断選択基本観測値シグマ、ｉ＝1からｎまでのＸiの和の値を、上記表１[９６００個の診断基本観測値の転置行列マトリックス表]での方剤毎の１，２，・・・２００（２００≧ｎ）の診断基本観測値シグマ、ｉ＝1からｎまでのＸiの和の値で除した方剤毎の１，２，・・・２００（２００≧ｎ）の診断選択精度の値を［診断選択精度登録マトリックス］ステップ１０７での［診断選択精度登録マトリックス表］で、求めるための計量単純計算で具体的に証明を示した数式。
【００９０】
【数９】
2006065718.tif 000015
【００９１】
計量マトリックス漢方診断方法［診断実際選択精度登録マトリックス］ステップ１０８
図２６は、漢方統一診断情報システムの計量マトリックス漢方診断方法における実行手順である［診断実際選択精度登録マトリックス］ステップ１０８を示している。その手順は、上記表４［ｎ個の診断実際観測値の転置行列マトリックス表」での方剤毎の１，２，・・・２００（２００≧ｎ）の診断実際観測値の和（対応要素の和＝ΣＸi）の値を、上記表３[n個の診断選択基本観測値の転置行列マトリックス表]での方剤毎の１，２，・・・２００（２００≧ｎ）の診断選択基本観測値の和（対応要素の和＝ΣＸi）の値で除した方剤毎の１，２，・・・２００（２００≧ｎ）の診断実際選択精度の値を求めるための［診断実際選択精度登録マトリックス］ステップ１０８によって実行される実行手順を示した図。
【００９２】
数１０は、上記表４［ｎ個の診断実際観測値の転置行列マトリックス表」での方剤毎の１，２，・・・２００（２００≧ｎ）の診断実際観測値シグマ、ｉ＝1からｎまでのＸiの和の値を、上記表３［ｎ個の診断選択基本観測値の転置行列マトリックス表」の方剤毎の１，２，・・・２００（２００≧ｎ）の診断選択基本観測値シグマ、ｉ＝1からｎまでのＸiの和の値で除した方剤毎方剤毎の１，２，・・・２００（２００≧ｎ）の診断実際選択精度の値を［診断実際選択精度登録マトリックス］ステップ１０８での［診断実際選択精度登録マトリックス表］で、求めるための計量単純計算で具体的に証明を示した数式。
【００９３】
【数１０】
2006065718.tif 000016
【００９４】
計量マトリックス漢方診断方法［診断方剤決定最終精度登録マトリックス］ステップ１０９
図２７は、漢方統一診断情報システムの計量マトリックス漢方診断方法における実行手順である［診断方剤決定最終精度登録マトリックス］ステップ１０９を示している。その手順は、上記図２５［診断選択精度登録マトリックス表］での方剤毎の１，２，・・・２００（２００≧ｎ）の診断選択精度の値と，上記図２６［診断実際選択精度登録マトリックス表］で求めた方剤毎の１，２，・・・２００（２００≧ｎ）の診断実際選択精度の値とを乗した方剤毎の１，２，・・・２００（２００≧ｎ）の診断方剤決定最終精度の％値を求めるための［診断方剤決定最終精度登録マトリックス］ステップ１０９によって実行される実行手順を示した図。
【００９５】
数１１は、上記表３[n個の診断選択基本観測値の転置行列マトリックス表]での方剤毎の１，２，・・・２００（２００≧ｎ）の診断選択基本観測値シグマ、ｉ＝1からｎまでのＸiの和の値を、上記表１[９６００個の診断基本観測値の転置行列マトリックス表]での方剤毎の１，２，・・・２００（２００≧ｎ）の診断基本観測値シグマ、ｉ＝1からｎまでのＸiの和の値で除した方剤毎の１，２，・・・２００（２００≧ｎ）の診断選択精度の値と、上記表４［ｎ個の診断実際観測値の転置行列マトリックス表」での方剤毎の１，２，・・・２００（２００≧ｎ）の診断実際観測値シグマ、ｉ＝1からｎまでのＸiの和の値を、上記表３［ｎ個の診断選択基本観測値の転置行列マトリックス表」の方剤毎の１，２，・・・２００（２００≧ｎ）の診断選択基本観測値シグマ、ｉ＝1からｎまでのＸiの和の値で除した方剤毎方剤毎の１，２，・・・２００（２００≧ｎ）の診断実際選択精度の値とを乗した方剤毎の１，２，・・・２００（２００≧ｎ）の診断方剤決定最終精度の％値を［診断方剤決定最終精度登録マトリックス］ステップ１０９での［診断方剤決定最終精度登録マトリックス表］で、求めるための計量確率計算で具体的に証明を示した数式。
【００９６】
【数１１】
2006065718.tif 000017
【００９７】
漢方統一診断情報システム  「実際の漢方統一診断情報システムの実行手順の概要」
図２８は、本発明の実際の漢方統一診断情報システムの診断システムは、初期画面で診断項目選択を実行する［診断方法選択］ステップ１０１→［四診断精度選択］ステップ１０２→［診断・病症名チェック］ステップ１０３と、計量化計算で実行する（1）［診断基本観測値登録マトリックス］ステップ１０４→（2）［診断選択基本観測値登録マトリックス］ステップ１０５→（3）［診断実際観測値登録マトリックス］ステップ１０６→（4）［診断選択精度登録マトリックス］ステップ１０７→（5）［診断実際選択精度登録マトリックス］ステップ１０８→（6）［診断方剤決定最終精度登録マトリックス］ステップ１０９→［診断結果表示］ステップ１１０→［診断方法選択］ステップ１１１での初期画面への復帰とで設計・構築された実際の漢方統一診断情報システムの実行手順の概要を示した図。
【００９８】
図２９は、実際の漢方診断における漢方統一診断情報システムの基本となるフローチャート（論理設計）を示している。この論理設計の工程構成は、START→初期画面→診断項目選択の［診断方法選択］ステップ１０１→診断項目選択の［四診断精度選択］での『全て選択』・『望診』・『聞診』・『問診』・『切診』の選択のステップ１０２→診断項目選択の［診断・病症名チェック］データ入力のステップ１０３→計量マトリックス漢方診断方法の（1）［診断基本観測値登録マトリックス］ステップ１０４での計量マトリックス計算→（2）［診断選択基本観測値登録マトリックス］ステップ１０５での計量マトリックス計算→（3）［診断実際観測値登録マトリックス］ステップ１０６での計量マトリックス計算→（4）［診断選択登録マトリックス］ステップ１０７での計量単純計算→（5）［診断実際選択精度登録マトリックス］ステップ１０８での計量単純計算→（6）［診断方剤決定最終精度登録マトリックス］ステップ１０９での計量確率計算→結果表示の［診断結果表示］方剤決定ランキング・方剤最終決定のステップ１１０一診断項目選択の［診断方法選択］初期画面への復帰のステップ１１１→ENDで設計・構築されている。
【００９９】
つまり、上記のステップで、設計・構築されている実際の漢方統一診断情報システムは、診断項目選択の［診断方法選択］ステップ１０１と、→診断項目選択の［四診断精度選択］での『全て選択』・『望診』・『聞診』・『問診』・『切診』のステップ１０２と、→診断項目選択の［診断・病症名チェック］でのデータ入力のステップ１０３とが命令・実行されると、ブラックＢＯＸ化されている計量化のための計量マトリックス計算のステップ１０４と、→計量マトリックス計算のステップ１０５と、→計量マトリックス計算のステップ１０６と、→計量単純計算（2）÷（1）のステップ１０７と、→計量単純計算（3）÷（2）のステップ１０８と、→計量確率計算（4）×（5）のステップ１０９とが瞬時（オート）に、計量化計算が実行されて、→ディスプレイ装置の画面にステップ１１０の診断結果の表示と、→診断項目選択の［診断方法選択］への復帰のステップ１１１とのフローチャート（論理設計）の工程構成を示した図。
【０１００】
漢方統一診断情報システム  「実際の症例を用いた漢方統一診断情報システムでの実行手順」
最適方剤を選定する際、変更初期値設定のメイン系病候証個数・共通系病向証個数・サブ系病候証個数の変更編集設定と、変更初期値設定の病症名個数の変更編集設定と、方剤基本データ編集の変更初期値編集設定と、［診断方法選択］ステップ１０１から［診断方法選択］への復帰までのステップ１１１による実行手順のステップとを有する本発明の漢方統一診断情報システムが、実際の患者の病症（３０歳男性の慢性肝炎）に対して、有効性の作用を発揮するかを以下に、具体的に説明していく。
【０１０１】
漢方統一診断情報システム  方剤基本データ編集方法による変更初期値設定「メイン系病候証・共通系病向証・サブ系病候証個数の変更編集設定」
図３０は、方剤毎（１９≧ｎ）の代表方剤である麻杏甘石湯の初期値編集設定を構成させるための変更初期値設定を実行したもので、この変更編集設定は、メイン系病候に対応する総計２８５個の病候証と、共通系病向に対応する総計７６個の病向証と、サブ系病候に対応する総計５５１個の病候証との総計９１２個（９１２≧ｎ）で構成された変更初期値設定を示した図。
【０１０２】
漢方統一診断情報システム  方剤基本データ編集方法による変更初期値設定「病症名個数の変更編集設定」
図３１は、方剤毎（１９≧ｎ）の代表方剤である麻杏甘石湯の変更初期値編集を構成させるための変更初期値設定を実行したもので、この変更編集設定は、９個（１２４≧ｎ）→１２４個（１２４≧ｎ）の病症名で構成する変更初期値設定を示した図。
【０１０３】
漢方統一診断情報システム  方剤基本データ編集方法による変更初期値編集設定「方剤基本データ編集の変更初期値編集設定」
図３２は、上記図３０、図３１の変更初期値編集設定の必要要素を用いて、方剤毎（１９≧ｎ）の代表方剤である麻杏甘石湯の変更初期値設定を実行したもので、その方剤基本データ編集の変更初期値設定構成は、メイン系病候に対応する総計２８５個の病候証と、共通系病向に対応させている総計７６個の病向証と、サブ系病候に対応させている総計５５１個の病候証との総計９１２個（９１２≧ｎ）で構成している病候証・病向証と、９個（１２４≧ｎ）→１２４個（１２４≧ｎ）の病症名と、方剤毎（１９≧ｎ）の代表方剤である診断基本観測値の和の値の総和＝９６と、マトリックスの要素個数aijの総和＝１１３０８８個とで構成する方剤基本データ編集の変更初期値編集設定を示した図。
【０１０４】
漢方統一診断情報システム  方剤基本データ編集方法による変更基準編集設定「方剤基本データ編集の変更基準編集設定」
図３３は、上記図３２の１９個（２００≧ｎ）の方剤基本データ編集の変更初期値編集設定を統合編集設定させた変更基準編集設定である。その方剤基本データ編集の変更基準編集設定は、図３７の変更基準編集登録［診断基本観測値登録マトリックス］に完全シフトする。この編集設定構成は、メイン系病候の→１．表裏（１９個）２．四要（１９個）３．四焦（１９個）４．熱寒（１９個）５．実虚（１９個）６．燥（１９個）７．湿（１９個）８．風（１９個）９．火（１９個）１０．暑（１９個）１１．寒（１９個）１２．気（１９個素）１３．血（１９個）１４．痰（１９個）１５．鬱（１９個）の総計２８５個の病候証と、共通系病向の→１．升（１９個）２．降（１９個）３．散（１９個）４．収（１９個）の総計７６個の病向証と、サブ系病候の→１．裏（１９個）２．裏（１９個）３．表（１９個）４．表（１９個）５．衛（１９個）６．気（１９個）７．営（１９個）８．血（１９個）９．上焦（１９個）１０．中焦（１９個）１１．下焦（１９個）１２．寒（１９個）１３．寒（１９個）１４．熱（１９個）１５．熱（１９個）１６．虚（１９個）１７．虚（１９個）１８．実（１９個）１９．実（１９個）２０．燥（１９個）２１．湿（１９個）２２．風（１９個）２３．火（１９個）２４．暑（１９個）２５．寒（１９個）２６．気（１９個）２７．血（１９個）２８．痰（１９個）２９．鬱（１９個）の総計５５１個の病候証との総計９１２個（９１２≧ｎ）で構成する病候証・病向証と、１９個（２００≧ｎ）の方剤の診断基本観測値の和の値の総和の値と、マトリックスの要素個数aijの総和＝１１３０８８個と、１２４個（１２４≧ｎ）の病症名とで編集・構成された方剤基本データ編集の変更基準編集設定を示した図。
【０１０５】
漢方統一診断情報システム  診断項目選択の［診断方法選択］ステップ１０１
図３４は、漢方統一診断情報システムにおける実行手順の［診断方法選択］ステップ１０１を示している。その手順は、［診断方法選択］ステップ１０１→［診断基本観測値登録マトリックス］ステップ１０４→計量マトリックス計算によって実行される。具体的実行手順は、初期画面の［診断方法選択］ステップ１０１の命令・実行によって、メイン系病候・共通系病向・サブ系病候に対応する９１２個（９１２≧ｎ）の病候証・病向証から、メイン系病候の５７個（９１２≧ｎ）の病候証→１．表裏（１９個）２．熱寒（１９個）３．実虚（１９個）と、サブ系病候の１９０個（９１２≧ｎ）の病候証→１．裏（１９個）２．表（１９個）３．寒（１９個）４．寒（１９個）５．熱（１９）６．熱（１９個）７．虚（１９個）８．虚（１９）９．実（１９）１０．実（１９）との総計２４７個（９１２≧ｎ）の中国漢方医学診断（診断方法の編集・登録は自由に変更設定可）を選択するための実行手順を示した図。
【０１０６】
漢方統一診断情報システム  診断項目選択の［四診断精度選択］ステップ１０２
図３５は、漢方統一診断情報システムにおける実行手順である［四診断精度選択］ステップ１０２を示している。その手順は、［四診断精度選択］ステップ１０２→［診断選択基本観測値登録マトリックス］ステップ１０５→計量マトリックス計算によって実行される。具体的実行手順は、［四診断精度選択］ステップ１０２の命令・実行によって、［四診断精度選択］の項目での『全て選択』・『望診』・『聞診』・『問診』・『切診』の病症名個数１２４個（１２４≧ｎ）の中から、病症名個数７０個（１２４≧ｎ）の『問診』を選択するための実行手順を示した図。
【０１０７】
漢方統一診断情報システム  診断項目選択の［診断・病症名チェック］ステップ１０３
図３６は、漢方統一診断情報システムにおける実行手順である［診断・病症名チェック］ステップ１０３を示している。その手順は、［診断・病症名チェック］ステップ１０３→［診断実際観測値登録マトリックス］→計量マトリックス計算によって実行される。具体的実行手順は、［診断・病症名チェック］ステップ１０３の命令・実行→［診断実際観測値登録マトリックス］ステップ１０６の命令・実行によって、［診断選択基本観測値登録マトリックス］ステップ１０５で選択した病症名個数７０個（１２４≧ｎ）の『問診』項目での中から、患者の病症（３０歳男性の慢性肝炎）に適合している貧血・めまい・口が苦い・イライラする・弱いイライラ・不眠・元気がない・疲れやすい・上腹部痛・腰痛・胸脇苦痛・胸脇苦満(膨満）・弱い腹部膨満・口渇・往来寒熱(間歇熱）・熱感（ほてり）・弱い悪寒（悪風）・腹部の冷え・悪心、普通の嘔吐・食欲不振・尿量過多・白泥状水様性便の病症名個数２３個（７０≧ｎ）を選択するための実行手順を示した図。
【０１０８】
漢方統一診断情報システム  計量マトリックス漢方診断方法の変更基準編集登録［診断基本観測値登録マトリックス］
図３７は、変更基準編集登録［診断基本観測値登録マトリックス］を示したものである。また、数１２は、変更基準編集登録［診断基本観測値登録マトリックス］の行列の要素（aij）の条件を、１２４≧ｉ（ｎ），９１２≧j（ｎ），aij：ｉ＝１，２，・・・１２４，ｊ＝１，２，・・・９１２と定義した総数９１２個（９１２≧ｎ）の病候証・病向証と、総数１２４個（１２４≧ｎ）の病症名とで構成する変更基準編集登録［診断基本観測値登録マトリックス］での診断基本観測値の和（対応要素の和＝ΣＸi）の値であるシグマ、ｉ＝1から１２４までの和（対応要素の和）の値を求めるための数学の証明を示した数式と、変更基準編集登録［診断基本観測値登録マトリックス］での和の行列と転置行列とで、和の値の総和の値を求めるための計量マトリックス計算で具体的に証明を示した数式。
【０１０９】
【数１２】
2006065718.tif 000018
【０１１０】
表５は、変更基準編集登録［診断基本観測値登録マトリックス］において、数１２で上記した９１２個（９１２≧ｎ）の病候証・病向証の診断基本観測値の和（対応要素の和＝ΣＸi）の値を、病候証・病向証グループ名個数１，２，・・・４８（４８≧ｎ）の横（行）と、方剤個数１，２，・・・１９（１９≧ｎ）の縦（列）とで構成されるマトリックス表に配当入力する。また、表５は、和（対応要素の和＝ΣＸi）の値と、和（対応要素の和＝ΣＸi）の値の総和の値とを求めるための和の行列（マトリックス）表と、９１２個（９１２≧ｎ）の病候証・病向証の診断基本観測値の和（対応要素の和＝ΣＸi）の値を、方剤個数１，２，・・・１９（１９≧ｎ）の横（行）と、病候証・病向証グループ名個数１，２，・・・４８（４８≧ｎ）の縦（列）とで構成されるマトリックス表に配当入力した和（対応要素の和＝ΣＸi）の値と、和（対応要素の和＝ΣＸi）の値の総和の値とを求めるための転置行列（マトリックス）表とで、具体的に数１３の計量マトリックス計算の式の証明を示したマトリックス表。
【０１１１】
【表５】
2006065718.tif 000019
【０１１２】
数１３は、表５において、行列の要素（aij）の条件を、和の行列→４８≧ｉ（ｎ），１９≧j（ｎ），aij：ｉ＝１，２，・・・４８，ｊ＝１，２，・・・１９  転置行列→１９≧ｉ（ｎ），４８≧j（ｎ），aij：ｉ＝１，２，・・・１９，ｊ＝１，２，・・・４８と定義した９１２個（９１２≧ｎ）の診断基本観測の和（対応要素の和＝ΣＸi）の値を、和の行列（マトリックス）表と，転置行列（マトリックス）表とに配当入力した診断基本観測の和（対応要素の和＝ΣＸi）の値の総和の値を求める計量マトリックス計算で、具体的に表５の証明を示した数式。
【０１１３】
【数１３】
2006065718.tif 000020
【０１１４】
漢方統一診断情報システム  計量マトリックス漢方診断方法の［診断基本観測値登録マトリックス］ステップ１０４
図３８は、漢方統一診断情報システムにおける実行手順である［診断基本観測値登録マトリックス］ステップ１０４を示している。その手順は、［診断方法選択］ステップ１０１→［診断基本観測値登録マトリックス］ステップ１０４→計量マトリックス計算によって命令・実行される。また、図３８は、図３７の変更基準編集登録［診断基本観測値登録マトリックス］を［診断方法選択］ステップ１０１での命令・実行によって選択したメイン系病候・サブ系病候に対応する２４７個（９１２≧ｎ）の病候証と、病症名個数１２４個（１２４≧ｎ）と、マトリックスの要素個数aij＝３０６２８個とで構成する［診断基本観測値登録マトリックス］ステップ１０４で、病候証個数２４７個（９１２≧ｎ）の診断基本観測値の和（対応要素の和＝ΣＸi）の値と、和の値の総和の１８６０とを求めるための実行手順を示した図。
【０１１５】
数１４は、上記［診断方法選択］ステップ１０１での、命令・実行によって、数１２で上記した変更基準登録［診断基本観測値登録マトリックス］の９１２個（９１２≧ｎ）の診断基本観測値の和（対応要素の和＝ΣＸi）の値から、診断基本観測値の和（対応要素の和＝ΣＸi）の値の２４７個（９１２≧ｎ）を選択した［診断基本観測値登録マトリックス］ステップ１０４を示したものである。また、数１４は、［診断基本観測値登録マトリックス］ステップ１０４での行列の要素（aij）の条件を、１２４≧ｉ（ｎ），９１２≧j（ｎ），aij：ｉ＝１，２，・・・１２４，ｊ＝１，２，・・・２４７と定義したメイン系病候・サブ系病候に対応する病候証個数２４７個（９１２≧ｎ）の病候証と、病症名個数１２４個（１２４≧ｎ）の病症名とで構成する各列（１，２，・・・・，２４７）に対応する診断基本観測値の和（対応要素の和＝ΣＸi）の値であるシグマ、ｉ＝1から１２４までの和（対応要素の和）の値を求めるための数学の証明を示した数式と、［診断基本観測値登録マトリックス］ステップ１０４での和の行列と転置行列とで、和の値の総和の１８６０を求めるための計量マトリックス計算で具体的に証明を示した数式。
【０１１６】
【数１４】
2006065718.tif 000021
【０１１７】
表６は、［診断基本観測値登録マトリックス］ステップ１０４において、数１４で上記したメイン系病候・サブ系病候に対応する病候証個数２４７個（９１２≧ｎ）の病候証の診断基本観測値の和（対応要素の和＝ΣＸi）の値を、病候証グループ名個数１，２，・・・１３（４８≧ｎ）の横（行）と、方剤個数１，２，・・・１９（２００≧ｎ）の縦（列）とで構成されるマトリックス表に配当入力する。また、表６は、和（対応要素の和＝ΣＸi）の値と、和（対応要素の和＝ΣＸi）の値の総和の１８６０とを求めるための和の行列（マトリックス）表と、２４７個（９１２≧ｎ）の病候証の診断基本観測値の和（対応要素の和＝ΣＸi）の値を、方剤個数１，２，・・・１９（２００≧ｎ）の横（行）と、病候証グループ名個数１，２，・・・１３（４８≧ｎ）の縦（列）とで構成されるマトリックス表に配当入力した和（対応要素の和＝ΣＸi）の値と、和（対応要素の和＝ΣＸi）の値の総和の１８６０とを求めるための転置行列（マトリックス）表とで、具体的に数１５の計量マトリックス計算の式の証明を示したマトリックス表。
【０１１８】
【表６】
2006065718.tif 000022
【０１１９】
数１５は、表６において、行列の要素（aij）の条件を、和の行列→４８≧ｉ（ｎ），２００≧j（ｎ），aij：ｉ＝１，２，・・・１３，ｊ＝１，２，・・・１９  転置行列→２００≧ｉ（ｎ），４８≧j（ｎ），aij：ｉ＝１，２，・・・１９，ｊ＝１，２，・・・１３と定義した２４７個（９１２≧ｎ）の診断選択基本観測の和（対応要素の和＝ΣＸi）の値を、和の行列（マトリックス）表と，転置行列（マトリックス）表とに配当入力した診断選択基本観測の和（対応要素の和＝ΣＸi）の値の総和の１８６０を求める計量マトリックス計算で、具体的に表６の証明を示した数式。
【０１２０】
【数１５】
2006065718.tif 000023
【０１２１】
漢方統一診断情報システム  計量マトリックス漢方診断方法の［診断選択基本観測値登録マトリックス］ステップ１０５
図３９は、漢方統一診断情報システムにおける実行手順である［診断選択基本観測値登録マトリックス］ステップ１０５を示している。その手順は、［四診断精度選択］ステップ１０２→［診断選択基本観測値登録マトリックス］ステップ１０５→計量マトリックス計算によって実行される。また、図３９は、上記図３８の［診断基本観測値登録マトリックス］ステップ１０４を完全シフトさせた［診断選択基本観測値登録マトリックス］ステップ１０４を［四診断精度選択］ステップ１０２での命令・実行によって、病症名個数１２４個（１２４≧ｎ）の中から『問診』の病症名個数７０個（１２４≧ｎ）を選択したメイン系病候・サブ系病候に対応する２４７個（９１２≧ｎ）の病候証と、マトリックスの要素個数aij＝１７２９０個とで構成する［診断選択基本観測値登録マトリックス］ステップ１０５で、病候証個数２４７個（９１２≧ｎ）の診断選択基本観測値の和（対応要素の和＝ΣＸi）の値と、和の値の総和の１３５０とを求めるための実行手順を示した図。
【０１２２】
数１６は、上記［四診断精度選択］ステップ１０２での、『全て選択』・『望診』・『聞診』・『問診』・『切診』の選択の命令・実行によって、数１４で上記した［診断本観測値登録マトリックス］ステップ１０４の病症名個数１２４個（１２４≧ｎ）の中から『問診』の病症名個数７０個（１２４≧ｎ）を選択した［診断選択基本観測値登録マトリックス］ステップ１０５を示したものである。また、数１６は、［診断選択基本観測値登録マトリックス］ステップ１０５での行列の要素（aij）の条件を、１２４≧ｉ（ｎ），９１２≧j（ｎ），aij：ｉ＝１，２，・・・７０，ｊ＝１，２，・・・２４７と定義したメイン系病候・サブ系病候に対応する病候証個数２４７個（９１２≧ｎ）の病候証と、病症名個数７０個（１２４≧ｎ）の病症名とで構成する［診断選択基本観測値登録マトリックス］ステップ１０５での各列（１，２，・・・・，２４７）に対応する診断選択基本観測値の和（対応要素の和＝ΣＸi）の値であるシグマ、ｉ＝1から７０までの和（対応要素の和）の値を求めるための数学の証明を示した数式と、［診断選択基本観測値登録マトリックス］ステップ１０５での和の行列と転置行列とで、和の値の総和の１３５０を求めるための計量マトリックス計算の証明とを示した数式。  
【０１２３】
【数１６】
2006065718.tif 000024
【０１２４】
表７は、［診断選択基本観測値登録マトリックス］ステップ１０５におい
て、数１４で上記した［診断基本観測値登録マトリックス］ステップ１０４
の病症名個数１２４個（１２４≧ｎ）から『問診』の病症名個数７０個（１２４≧ｎ）を選択した数１６で上記した［診断選択基本観測値登録マトリックス」ステップ１０５で、数学計算（ΣＸi）されたメイン系病候・サブ系病候に対応する病候証個数２４７個（９１２≧ｎ）の病候証の診断選択基本観測値の和（対応要素の和＝ΣＸi）の値を、病候証グループ名個数１，２，・・・１３（４８≧ｎ）の横（行）と、方剤個数１，２，・・・１９（２００≧ｎ）の縦（列）とで構成されるマトリックス表に配当入力する。また、表７は、和（対応要素の和＝ΣＸi）の値と、和（対応要素の和＝ΣＸi）の値の総和の１３５０とを求めるための和の行列（マトリックス）表と、２４７個（９１２≧ｎ）の病候証の診断選択基本観測値の和（対応要素の和＝ΣＸi）の値を、方剤個数１，２，・・・１９（２００≧ｎ）の横（行）と、病候証グループ名個数１，２，・・・１３（４８≧ｎ）の縦（列）とで構成されるマトリックス表に配当入力した和（対応要素の和＝ΣＸi）の値と、和（対応要素の和＝ΣＸi）の値の総和の１３５０とを求めるための転置行列（マトリックス）表とで、具体的に数１７の計量マトリックス計算の式の証明を示したマトリックス表。
【０１２５】
【表７】
2006065718.tif 000025
【０１２６】
数１７は、表７において、行列の要素（aij）の条件を、和の行列→４８≧ｉ（ｎ），２００≧j（ｎ），aij：ｉ＝１，２，・・・１３，ｊ＝１，２，・・・１９  転置行列→２００≧ｉ（ｎ），４８≧j（ｎ），aij：ｉ＝１，２，・・・１９，ｊ＝１，２，・・・１３と定義した２４７個（９１２≧ｎ）の診断選択基本観測の和（対応要素の和＝ΣＸi）の値を、和の行列（マトリックス）表と，転置行列（マトリックス）表とに配当入力した診断選択基本観測の和（対応要素の和＝ΣＸi）の値の総和の１３５０を求める計量マトリックス計算で、具体的に表７の証明を示した数式。
【０１２７】
【数１７】
2006065718.tif 000026
【０１２８】
漢方統一診断情報システム  計量マトリックス漢方診断方法の［診断実際観測値登録マトリックス］ステップ１０６
図４０は、漢方統一診断情報システムにおける実行手順である［診断実際観測値登録マトリックス］ステップ１０６を示している。その手順は、［診断・病症名チェック］ステップ１０３→［診断実際観測値登録マトリックス］ステップ１０６→計量マトリックス計算によって実行される。また、図４０は、［診断実際観測値登録マトリックス］ステップ１０６を［診断・病症名チェック］ステップ１０３での命令・実行によって、『問診』の病症名個数７０個（１２４≧ｎ）と、病候症個数２４７個（９１２≧ｎ）とで構成する図３９の［診断選択基本観測値登録マトリックス］を完全シフトさせた［診断実際観測値登録マトリックス］ステップ１０６での『問診』の病症名個数７０個（１２４≧ｎ）の中から『問診』の病症名個数２３個（７０≧ｎ）の貧血・めまい・口が苦い・イライラする・弱いイライラ・不眠・元気がない・疲れやすい・上腹部痛・腰痛・胸脇苦痛・胸脇苦満(膨満）・弱い腹部膨満・口渇・往来寒熱(間歇熱）・熱感（ほてり）・弱い悪寒（悪風）・腹部の冷え・悪心、普通の嘔吐・食欲不振・尿量過多・白泥状水様性便の病症名を選択した病症名個数２３個（７０≧ｎ）と、メイン系病候・サブ系病候に対応する２４７個（９１２≧ｎ）の病候証と、マトリックスの要素個数aij＝５６８１個とで構成する［診断実際観測値登録マトリックス］ステップ１０６で、病候証個数２４７個（９１２≧ｎ）の診断選択基本観測値の和（対応要素の和＝ΣＸi）の値と、和の値の総和の６１７とを求めるための実行手順を示した図。
【０１２９】
数１８は、上記［診断・病症名チェック］ステップ１０３での、病症名の選択の命令・実行によって、数１６で上記した［診断選択基本観測値登録マトリックス］ステップ１０５の『問診』の病症名個数７０個（１２４≧ｎ）から病症名個数２３個（７０≧ｎ）を再度、選択した［診断実際観測値登録マトリックス］ステップ１０６を示したものである。また、数１８は、［診断実際観測値登録マトリックス］ステップ１０６での行列の要素（aij）の条件を、２３≧ｉ（ｎ），２４７≧j（ｎ），aij：ｉ＝１，２，・・・２３，ｊ＝１，２，・・・２４７と定義したメイン系病候・サブ系病候に対応する病候証個数２４７個（９１２≧ｎ）の病候証と、病症名個数２３個（７０≧ｎ）の病症名とで構成する［診断実際観測値登録マトリックス］ステップ１０６での各列（１，２，・・・・，
２４７）に対応する診断実際観測値の和（対応要素の和＝ΣＸi）の値であるシグマ、ｉ＝1から２３までの和（対応要素の和）の値を求めるための数学の証明を示した数式と、［診断実際観測値登録マトリックス］ステップ１０６での和の行列と転置行列とで、和の値の総和の６１７を求めるための計量マトリックス計算の証明とを示した数式。
【０１３０】
【数１８】
2006065718.tif 000027
【０１３１】
表８は、上記［診断・病症名チェック］ステップ１０３での、病症名の選択の命令・実行によって、数１６で上記した［診断選択基本観測値登録マトリックス］ステップ１０５の『問診』の病症名個数７０個（１２４≧ｎ）から、病症名個数２３個（７０≧ｎ）を再度、選択した数１８で上記した［診断実際観測値登録マトリックス］ステップ１０６で、数学計算（ΣＸi）されたメイン系病候・サブ系病候に対応する２４７個（９１２≧ｎ）の病候証の診断実際観測値の和（対応要素の和＝ΣＸi）の値を、病候証グループ名個数１，２，・・・１３（４８≧ｎ）横（行）と、方剤個数１，２，・・・１９（２００≧ｎ）の縦（列）とで構成されるマトリックス表に配当入力する。また、表８は、和（対応要素の和＝ΣＸi）の値と、和（対応要素の和＝ΣＸi）の値の総和の６１７とを求めるための和の行列（マトリックス）表と、２４７個（９１２≧ｎ）の病候証の診断実際観測値の和（対応要素の和＝ΣＸi）の値を、方剤個数１，２，・・・１９（２００≧ｎ）の横（行）と、病候証グループ名個数１，２，・・・１３（４８≧ｎ）の縦（列）とで構成されるマトリックス表に配当入力した和（対応要素の和＝ΣＸi）の値と、和（対応要素の和＝ΣＸi）の値の総和の６１７とを求めるための転置行列（マトリックス）表とで、具体的に数１９の計量マトリックス計算の式の証明を示したマトリックス表。
【０１３２】
【表８】
2006065718.tif 000028
【０１３３】
数１９は、表８において、行列の要素（aij）の条件を、和の行列→４８≧ｉ（ｎ），２００≧j（ｎ），aij：ｉ＝１，２，・・・１３，ｊ＝１，２，・・・１９  転置行列→２００≧ｉ（ｎ），４８≧j（ｎ），aij：ｉ＝１，２，・・・１９，ｊ＝１，２，・・・１３と定義した２４７個（２４７≧ｎ）の診断実際観測の和（対応要素の和＝ΣＸi）の値を、和の行列（マトリックス）表と，転置行列（マトリックス）表とに配当入力した診断実際観測の和（対応要素の和＝ΣＸi）の値の総和の６１７を求める計量マトリックス計算で、具体的に表８の証明を示した数式。
【０１３４】
【数１９】
2006065718.tif 000029
【０１３５】
漢方統一診断情報システム  計量マトリックス漢方診断方法の［診断選択精度登録マトリックス］ステップ１０７
図４１は、漢方統一診断情報システムにおける実行手順である［診断選択精度登録マトリックス］ステップ１０７を示している。その手順は、上記表７[２４７個の診断選択基本観測値の転置行列マトリックス表]での方剤毎の１，２，・・・１９（２００≧ｎ）の診断選択基本観測値の和（対応要素の和＝ΣＸi）の値を、上記表６[２４７個の診断基本観測値の転置行列マトリックス表]での方剤毎の１，２，・・・１９（２００≧ｎ）の診断基本観測値の和（対応要素の和＝ΣＸi）の値で除した方剤毎の１，２，・・・１９（２００≧ｎ）の診断選択精度の値を求めるための［診断選択精度登録マトリックス］ステップ１０７によって実行される実行手順を示した図。
【０１３６】
数２０は、上記表７[２４７個の診断選択基本観測値の転置行列マトリックス表]での方剤毎の１，２，・・・１９（２００≧ｎ）の診断選択基本観測値シグマ、ｉ＝1から１３までのＸiの和の値である（１）６６（２）５０（３）６９（４）６１（５）４１（６）９９（７）５０（８）６９（９）８０（１０）６４（１１）６８（１２）８７（１３）８５（１４）１０３（１５）８４（１６）４９（１７）８８（１８）４９（１９）８８の値を、上記表６[２４７個の診断基本観測値の転置行列マトリックス表]での方剤毎の１，２，・・・１９（２００≧ｎ）の診断基本観測値シグマ、ｉ＝1から１３までのＸiの和の値である（１）９３（２）７４（３）９６（４）７６（５）５９（６）１３５（７）７４（８）９６（９）８９（１０）８２（１１）１３７（１２）９６（１３）９４（１４）１４８（１５）１０５（１６）７８（１７）１２５（１８）７８（１９）１２５の値で除した方剤毎の１，２，・・・１９（２００≧ｎ）の診断選択精度の値である（１）０．７０９（２）０．６７５（３）０．７１８（４）０．８０２（５）０．６９４（６）０．７３３（７）０．６７５（８）０．７１８（９）０．８９８（１０）０．７８（１１）０．４９６（１２）０．９０６（１３）０．９０４（１４）０．６９５（１５）０．８（１６）０．６２８（１７）０．６２８（１８）０．６２８（１９）０．７０４の値を［診断選択精度登録マトリックス］ステップ１０７での[診断選択精度登録マトリックス表]で、求めるための計量単純計算を示す数式。
【０１３７】
【数２０】
2006065718.tif 000030
【０１３８】
漢方統一診断情報システム  計量マトリックス漢方診断方法の［診断実際選択精度登録マトリックス］ステップ１０８
図４２は、漢方統一診断情報システムにおける実行手順である［診断実際選択精度登録マトリックス］ステップ１０８を示している。その手順は、上記表８［２４７個の診断実際観測値の転置行列マトリックス表」での方剤毎の１，２，・・・１９（２００≧ｎ）の診断実際観測値の和（対応要素の和＝ΣＸi）の値を、上記表７[２４７個の診断選択基本観測値の転置行列マトリックス表]での方剤毎の１，２，・・・１９（２００≧ｎ）の診断選択基本観測値の和（対応要素の和＝ΣＸi）の値で除した方剤毎の１，２，・・・１９（２００≧ｎ）の診断実際選択精度の値を求めるための［診断実際選択精度登録マトリックス表］ステップ１０８によって実行される実行手順を示した図。
【０１３９】
数２１は、上記表８［２４７個の診断実際観測値の転置行列マトリックス表」での方剤毎の１，２，・・・１９（２００≧ｎ）の診断実際観測値シグマ、ｉ＝1から１３までのＸiの和の値である（１）９（２）０（３）３０（４）６（５）１５（６）６９（７）０（８）３０（９）７７（１０）２０（１１）４４（１２）２４（１３）４９（１４）４８（１５）５０（１６）２７（１７）４６（１８）２７（１９）４６の値を、上記表７［２４７個の診断選択基本観測値の転置行列マトリックス表」の方剤毎の１，２，・・・１９（２００≧ｎ）の診断選択基本観測値シグマ、ｉ＝1から１３までのＸiの和の値である（１）６６（２）５０（３）６９（４）６１（５）４１（６）９９（７）５０（８）６９（９）８０（１０）６４（１１）６８（１２）８７（１３）８５（１４）１０３（１５）８４（１６）４９（１７）８８（１８）４９（１９）８８の値で除した方剤毎の１，２，・・・１９（２００≧ｎ）の診断実際選択精度の値である（１）０．１３６（２）０（３）０．４３４（４）０．０９８（５）０．３６５（６）０．６５６（７）０（８）０．４３４（９）０．９６２（１０）０．３１２（１１）０．６４７（１２）０．２７５（１３）０．５７６（１４）０．４６６（１５）０．５９５（１６）０．５５１（１７）０．５２２（１８）０．５５１（１９）０．５２２の値を［診断実際選択精度登録マトリックス］ステップ１０８での[診断実際選択精度登録マトリックス表]で、求めるための計量単純計算を示す数式。
【０１４０】
【数２１】
2006065718.tif 000031
【０１４１】
漢方統一診断情報システム  計量マトリックス漢方診断方法の［診断方剤決定最終精度登録マトリックス］ステップ１０９
図４３は、漢方統一診断情報システムにおける実行手順である［診断方剤決定最終精度登録マトリックス］ステップ１０９を示している。その手順は、上記図４１［診断選択精度登録マトリックス表］での方剤毎の１，２，・・・１９（２００≧ｎ）の診断選択精度の値と，上記図４２［診断実際選択精度登録マトリックス表］での１，２，・・・１９（２００≧ｎ）の診断実際選択精度の値とを乗した方剤毎の１，２，・・・１９（２００≧ｎ）の診断方剤決定最終精度の％値を求めるための［診断方剤決定最終精度登録マトリックス表］ステップ１０９によって実行される実行手順を示した図。
【０１４２】
数２２は、上記表７[２４７個の診断選択基本観測値の転置行列マトリックス表]での方剤毎の１，２，・・・１９（２００≧ｎ）の診断選択基本観測値シグマ、ｉ＝1から１３までのＸiの和の値を、上記表６[２４７個の診断基本観測値の転置行列マトリックス表]での方剤毎の１，２，・・・１９（２００≧ｎ）の診断基本観測値シグマ、ｉ＝1から１３までのＸiの和の値で除した方剤毎の１，２，・・・１９（２００≧ｎ）の診断選択精度の値である（１）０．７０９（２）０．６７５（３）０．７１８（４）０．８０２（５）０．６９４（６）０．７３３（７）０．６７５（８）０．７１８（９）０．８９８（１０）０．７８（１１）０．４９６（１２）０．９０６（１３）０．９０４（１４）０．６９５（１５）０．８（１６）０．６２８（１７）０．６２８（１８）０．６２８（１９）０．７０４の値と、上記表８［２４７個の診断実際観測値の転置行列マトリックス表］での方剤毎の１，２，・・・１９（２００≧ｎ）の診断実際観測値シグマ、ｉ＝1から１３までのＸiの和の値を、上記表７［２４７個の診断選択基本観測値の転置行列マトリックス表］の方剤毎の１，２，・・・１９（２００≧ｎ）の診断選択基本観測値シグマ、ｉ＝1から１３までのＸiの和の値で除した方剤毎の１，２，・・・１９（２００≧ｎ）の診断実際選択精度の値である（１）０．１３６（２）０（３）０．４３４（４）０．０９８（５）０．３６５（６）０．６５６（７）０（８）０．４３４（９）０．９６２（１０）０．３１２（１１）０．６４７（１２）０．２７５（１３）０．５７６（１４）０．４６６（１５）０．５９５（１６）０．５５１（１７）０．５２２（１８）０．５５１（１９）０．５２２の値とを乗して、方剤毎の１，２，・・・１９（２００≧ｎ）の診断方剤決定最終精度の値である（１）麻杏甘石湯：９．６％（２）白虎湯：０％（３）梔子ち湯：３１．１％（４）麻黄湯：７．８％（５）桂枝湯：２５．３％（６）大柴胡湯：４８％（７）白虎湯：０％（８）梔子ち湯：３１．１％（９）小柴胡湯：８６．３％（１０）調胃承気湯：２４．３％（１１）三黄瀉心湯：３２％（１２）人参湯：２４．９％（１３）人参湯：５２％（１４）呉茱萸湯：３２．３％（１５）猪苓湯：４７．６％（１６）五苓散：３４．６％（１７）真武湯：３６．７％（１８）五苓散：３４．６％（１９）真武湯：３６．７％の％値を［診断方剤決定最終精度登録マトリックス］ステップ１０９での[診断方剤決定最終精度登録マトリックス表]で、求めるための計量確率計算を示す数式。
【０１４３】
【数２２】
2006065718.tif 000032
【０１４４】
漢方統一診断情報システム  診断結果の「診断結果表示」ステップ１１０
図４４は、漢方統一診断情報システムにおける実行手順である［診断結果表示］ステップ１１０を示している。その手順は、（１）診断基本観測値の和の値→（２）診断選択基本観測値の和の値→（３）診断実際観測値の和の値→（４）診断選択精度の値→（５）診断実際選択精度の値→（６）診断方剤決定最終精度の％値→（７）方剤決定ランキング→（８）方剤最終決定の値を診断結果を表示するための「診断結果表示」ステップ１１０によって実行される。また、具体的実行手順は、（１）上記表６[２４７個の診断基本観測値の転置行列マトリックス表]での方剤毎の１，２，・・・１９（２００≧ｎ）の診断基本観測値シグマ、ｉ＝1から１３までのＸiの和の値を入力表示（２）上記表７[２４７個の診断選択基本観測値の転置行列マトリックス表]での方剤毎の１，２，・・・１９（２００≧ｎ）の診断選択基本観測値シグマ、ｉ＝1から１３までのＸiの和の値を入力表示（３）上記表８［２４７個の診断実際観測値の転置行列マトリックス表」での方剤毎の１，２，・・・１９（２００≧ｎ）の診断実際観測値シグマ、ｉ＝1から１３までのＸiの和の値を入力表示（４）[診断選択精度登録マトリックス表]での方剤毎の１，２，・・・１９（２００≧ｎ）の診断選択基本際観測値シグマ、ｉ＝1から１３までのＸiの和の値÷診断基本観測値シグマ、ｉ＝1から１３までのＸiの和の値＝診断選択精度の値を入力表示（５）[診断実際選択精度登録マトリックス表]での方剤毎の１，２，・・・１９（２００≧ｎ）の診断実際観測値シグマ、ｉ＝1から１３までのＸiの和の値÷診断選択基本観測値シグマ、ｉ＝1から１３までのＸiの和の値＝診断実際選択精度の値を入力表示（６）[診断方剤決定最終精度登録マトリックス表]での方剤毎の１，２，・・・１９（２００≧ｎ）の診断実際観測値シグマ、ｉ＝1から１３までのＸiの和の値÷[診断方剤決定最終精度登録マトリックス表]での方剤毎の１，２，・・・１９（２００≧ｎ）の診断選択基本観測値シグマ、ｉ＝1から１３までのＸiの和の値＝診断方剤決定最終精度の％値を入力表示（７）［診断結果表示］ステップ１１０における１９個（２００≧ｎ）の各方剤の方剤決定最終精度の値の高い順に1位、2位、3位のランキングの表示（８）［診断結果表示］ステップ１１０における１９個（２００≧ｎ）の各方剤の方剤決定最終精度の値の1番高い方剤に＊の表示とを実行するための「診断結果表示」ステップ１１０による実行手順を示した図。
【０１４５】
本発明の漢方統一診断情報システムの上記具体的事例症例を用いた実際の患者の病症（３０歳男性の慢性肝炎）に対しての検証診断では、最適方剤を選定するための指標となる方剤決定最終精度の％値が、１番高い８６．３％の方剤決定ランキング１位の裏熱虚証（メイン系証）・表熱証（サブ系証）の証を示す方剤コードＮｏ．１の小柴胡湯（柴胡・黄きん・半夏・乾生姜・人参・大棗・炙甘草で構成する。）の方剤が選択される。
【０１４６】
漢方統一診断情報システム  診断項目選択の［診断方法選択］ステップ１０１への復帰のステップ１１１
図４５は、実際の漢方統一診断情報システムにおける実行手順の［診断方法選択］ステップ１０１への初期画面に復帰するステップを示した図。
【０１４７】
上記した本発明の漢方統一診断情報システムの１０１から１１１のステップの実行による作用は、最適方剤を決定するための計量マトリックス計算の数学解析、計量単純計算の数学解析、計量確率計算の数学解析による蓄積データベースによって、さらなる計量マトリックス漢方診断方法の改善を促し、極めて正確で高精度の整合性のある診断方剤決定最終精度の％値を求めることが出来、漢方薬の投薬・治療に際しての医療過誤を防止するという効果を発揮するものである。
【図面の簡単な説明】
【０１４８】
【図１】本発明の実施の形態による漢方統一診断情報システムの構成概要を示した図。
【図２】同方剤基本データ編集方法による実行手順の概要を示した図。
【図３】同方剤基本データ編集方法による実行手順の［診断方法］を示した図。
【図４】同方剤基本データ編集方法による実行手順の［四診断名］を示した図。
【図５】同方剤基本データ編集方法による実行手順の［病候］を示した図。
【図６】同方剤基本データ編集方法による実行手順の［病症名編集］を示した図。
【図７】同方剤基本データ編集方法による実行手順の［方剤編集］を示した図。
【図８】同方剤基本データ編集方法による実行手順の[方剤基本データ編集を実行するためのシステム構成概要]を示した図。
【図９】同方剤基本データ編集方法による方剤毎（２００≧ｎ）の代表方剤である麻杏甘石湯の「メイン系病候証個数・共通系病向証個数・サブ系病候証個数の初期値設定」を示した図。
【図１０】同方剤基本データ編集方法による方剤毎（２００≧ｎ）の代表方剤である麻杏甘石湯の「病症名個数の初期値設定」を示した図。
【図１１】同方剤基本データ編集方法による方剤毎（２００≧ｎ）の代表方剤である麻杏甘石湯の「方剤基本データ編集の初期値編集設定」を示した図。
【図１２】同方剤基本データ編集方法による２００個（２００≧ｎ）の初期値編集設定を統合した「方剤基本データ編集の基準編集設定」を示した図。
【図１３】同方剤基本データ編集方法での入力情報の定義の出所である漢方医学原典注釈書（原典書が基本）を示した図。
【図１４】同方剤基本データ編集方法での入力情報の定義の出所である漢方医学方剤書を示した図。
【図１５】同方剤基本データ編集方法での入力情報の定性データを配当設定する確定と、適合の確定と、病候証・薬効証の確定とを示した図。
【図１６】同方剤基本データ編集方法での入力情報の計量化データを配当設定する確定と、適合の確定と、病候証・薬効証の確定とを示した図。
【図１７】同方剤基本データ編集方法での方剤基本データ編集のための計量化データを配当設定する確定と、適合の確定と、病候証・薬効証の確定とを示した図。
【図１８】同方剤基本データ編集方法での方剤基本データ編集のための入力情報の計量化のための相対加重度の値を配当設定する確定方法を示した図。
【図１９】同方剤基本データ編集方法での方剤基本データ編集のための入力情報の計量化のための相対加重度の値を定式化した計算方法で変換させ配当設定する確定方法を示した図。
【図２０】同方剤基本データ編集方法での方剤毎（２００≧ｎ）の代表方剤である麻杏甘石湯の初期値編集「方剤基本データ編集」を示した図。
【図２１】同方剤基本データ編集方法での方剤１９個：１，２，・・・１９（２００≧ｎ）の統合編集した基準編集「方剤基本データ編集」を示した図。
【図２２】同計量マトリックス漢方診断方法による計量化の計量化計算による実行手順の概要を示した図。
【図２３】同計量マトリックス漢方診断方法による計量化の計量化計算による実行手順のフローチャート（論理設計）を示した図。
【図２４】同計量マトリックス漢方診断方法による計量化の基準編集登録［診断基本観測値登録マトリックス］の登録内容構成を示した図。
【図２５】同計量マトリックス漢方診断方法における実行手順である［診断選択精度登録マトリックス］ステップ１０７を示した図。
【図２６】同計量マトリックス漢方診断方法における実行手順である［診断実際選択精度登録マトリックス］ステップ１０８を示した図。
【図２７】同計量マトリックス漢方診断方法における実行手順である［診断方剤決定最終精度登録マトリックス］ステップ１０９を示した図。
【図２８】同実際の漢方統一診断情報システムの実行手順の概要を示した図。
【図２９】同実際の漢方診断における漢方統一診断情報システムの基本となるフローチャート（論理設計）を示した図。
【図３０】同漢方統一診断情報システムにおける方剤基本データ編集方法による方剤毎（１９≧ｎ）の代表方剤である麻杏甘石湯の変更初期値設定を構成させるための[メイン系病候証個数・共通系病向証個数・サブ系病候証個数の変更初期値設定]を示した図。
【図３１】同漢方統一診断情報システムにおける方剤基本データ編集方法による方剤毎（１９≧ｎ）の代表方剤である麻杏甘石湯の変更初期値設定を構成させるための[病症名個数の変更初期値設定]を示した図。
【図３２】同漢方統一診断情報システムにおける方剤基本データ編集方法による方剤毎（１９≧ｎ）の代表方剤である麻杏甘石湯の変更初期値編集設定を構成させるための「方剤基本データ編集の変更初期値編集設定」を示した図。
【図３３】同漢方統一診断情報システムにおける方剤基本データ編集方法による１９個（２００≧ｎ）の変更初期値編集設定を統合した[方剤基本データ編集の変更基準編集設定]を示した図。
【図３４】同漢方統一診断情報システムにおける診断項目選択の［診断方法選択］ステップ１０１の実行手順を示した図。
【図３５】同漢方統一診断情報システムにおける診断項目選択の［四診断精度選択］ステップ１０２の実行手順を示した図。
【図３６】同漢方統一診断情報システムにおける診断項目選択の［診断・病症名チェック］ステップ１０３の実行手順を示した図。
【図３７】同漢方統一診断情報システムにおける計量マトリックス漢方診断方法の変更基準編集登録［診断基本観測値登録マトリックス］を示した図。
【図３８】同漢方統一診断情報システムにおける計量マトリックス漢方診断方法での［診断基本観測値登録マトリックス］ステップ１０４の実行手順を示した図。
【図３９】同漢方統一診断情報システムにおける計量マトリックス漢方診断方法での［診断選択基本観測値登録マトリックス］ステップ１０５の実行手順を示した図。
【図４０】同漢方統一診断情報システムにおける計量マトリックス漢方診断方法での［診断実際観測値登録マトリックス］ステップ１０６の実行手順を示した図。
【図４１】同漢方統一診断情報システムにおける計量マトリックス漢方診断方法での［診断選択精度登録マトリックス］ステップ１０７の実行手順を示した図。
【図４２】同漢方統一診断情報システムにおける計量マトリックス漢方診断方法での［診断実際選択精度登録マトリックス］ステップ１０８の実行手順を示した図。
【図４３】同漢方統一診断情報システムにおける計量マトリックス漢方診断方法での［診断方剤決定最終精度登録マトリックス］ステップ１０９の実行手順を示した図。
【図４４】同漢方統一診断情報システムにおける診断結果の「診断結果表示」ステップ１１０の実行手順を示した図。
【図４５】同漢方統一診断情報システムにおける診断項目選択の［診断方法選択］ステップ１０１への復帰のステップ１１１の実行手順を示した図。
【図４６】従来の診断システムの概要を示した図
【図４７】従来の診断システムによる、のどの乾きについてのグラフであり、左のグラフは症状の程度を表す症状データベースの内容であり、右側のグラフは各漢方医薬の効き具合（適合度）の程度を表す処方（方剤）データベースの内容を示した図。
【図４８】尿の量についての図４７と同様のグラフを示した図。
【図４９】体のだるさについての図４７と同様のグラフを示した図。
【図５０】便秘傾向についての図４７と同様のグラフを示した図。
【図５１】肥満度についての図４７と同様のグラフを示した図。
【図５２】下肢のしびれについての図４７と同様のグラフを示した図。
【図５３】従来の診断システムによる、のどの乾きについてのグラフであり、左のグラフは患者の症状の程度をメンバーシップ関数値であり、左のグラフは各漢方医薬の特定患者に対する効き具合（適合度）示した図。
【図５４】尿の量についての図５３と同様のグラフを示した図。
【図５５】体のだるさについての図５３と同様のグラフを示した図。
【図５６】便秘傾向についての図５３と同様のグラフを示した図。
【図５７】肥満度についての図５３と同様のグラフを示した図。
【図５８】下肢のしびれについての図５３と同様のグラフを示した図。
【図５９】従来の診断システムによる、漢方医薬の適合度の数値に患者の診断項目の症状であるどの乾きの程度を表すメンバーシップ関数の数値を掛け合わせて、最適処方(各漢方医薬)を選定するまでのプロセスを示した図。
【図６０】図５９のプロセスから導き出される最適処方(各漢方医薬)を選定する各処方(各漢方医薬) の適合度(患者用適合度)の値の総和の値を示した図。
【図６１】従来の診断システムによる、漢方医薬（桂枝湯・麻黄湯）の適合度の数値に患者の診断項目の症状である悪寒の程度を表すメンバーシップ関数の数値を掛け合わせて、最適処方(各漢方医薬)を選定するまでのプロセスを示した図。
【図６２】図６１のプロセスから導き出される最適処方(各漢方医薬)を選定する各処方(各漢方医薬) の適合度(患者用適合度)の値の総和の値を示した図。
【図６３】症状の程度付け（計量化）の出所である漢方医学原典注釈書を示した図。
【図６４】症状の程度付け（計量化）の出所である漢方医学方剤書を示した図。
【図６５】漢方医学方剤書から症状を見た桂枝湯の特徴である悪風（弱い悪寒）と、麻黄湯の特徴は悪寒（強い悪寒）に対しての具体的程度付のＷの相対加重度の値を示した図。
【図６６】Ａ：八味地黄丸の適合度(患者用適合度)から方剤(処方)を決定するプロセスと、病候の値の総和から処方(各漢方医薬)の証を決定するプロセスを比較検証した図。
【図６７】Ｂ：白虎加人参湯の適合度(患者用適合度)から方剤(処方)を決定するプロセスと病候の値の総和から処方(各漢方医薬)の証を決定するプロセスを比較検証した図。
【図６８】Ｃ：補中益気湯の適合度(患者用適合度)から方剤(処方)を決定するプロセスと、病候の値の総和から処方(各漢方医薬)の証を決定するプロセスを比較検証した図。
【図６９】Ｃ：Ｄ：大柴胡湯の適合度(患者用適合度)から方剤(処方)を決定するプロセスと、病候の値の総和から処方(各漢方医薬)の証を決定するプロセスを比較検証した図。
【図７０】Ｅ：牛車腎気丸の適合度(患者用適合度)から方剤(処方)を決定するプロセスと、病候の値の総和から処方(各漢方医薬)の証を決定するプロセスを比較検証した図。
【図７１】病候の値の総和から処方(各漢方医薬)の証を決定するプロセスを用いて、肝硬変、肝癌の患者の証を検証した図。
【図７２】小柴胡湯の証を、病候の値の総和から処方(各漢方医薬)の証を決定するプロセスを用いて検証した図。
【符号の説明】
【０１４９】
１  ・・・漢方統一診断情報システム
２  ・・・診断システム編・フローチャート（論理設計）
３  ・・・データ編集編・（データベース）
４  ・・・データ編集編・（管理システム）
５  ・・・[診断方法]データベース
６  ・・・[四診断名]データベース
７  ・・・［病候］データベース
８  ・・・[病症名編集]データベース
９  ・・・[方剤編集]データベース
１０・・・[方剤基本データ編集]データベース
１１・・・[診断方法]管理システム
１２・・・[四診断名管理]システム
１３・・・［病候］管理システム
１４・・・[病症名編集]管理システム
１５・・・[方剤編集]管理システム
１６・・・[方剤基本データ編集]管理システム
１  ・・・診断コンピュータ
２  ・・・症状データベース
３  ・・・処方データベース
【図５】
2006065718.tif 000033
【図８】
2006065718.tif 000034
【図１３】
2006065718.tif 000035
【図１４】
2006065718.tif 000036
【図１５】
2006065718.tif 000037
【図１６】
2006065718.tif 000038
【図１７】
2006065718.tif 000039
【図１８】
2006065718.tif 000040
【図１９】
2006065718.tif 000041
【図１】
2006065718.tif 000042
【図２】
2006065718.tif 000043
【図３】
2006065718.tif 000044
【図４】
2006065718.tif 000045
【図６】
2006065718.tif 000046
【図７】
2006065718.tif 000047
【図９】
2006065718.tif 000048
【図１０】
2006065718.tif 000049
【図１１】
2006065718.tif 000050
【図１２】
2006065718.tif 000051
【図２０】
2006065718.tif 000052
【図２１】
2006065718.tif 000053
【図２２】
2006065718.tif 000054
【図２３】
2006065718.tif 000055
【図２４】
2006065718.tif 000056
【図２５】
2006065718.tif 000057
【図２６】
2006065718.tif 000058
【図２７】
2006065718.tif 000059
【図２８】
2006065718.tif 000060
【図２９】
2006065718.tif 000061
【図３０】
2006065718.tif 000062
【図３１】
2006065718.tif 000063
【図３２】
2006065718.tif 000064
【図３３】
2006065718.tif 000065
【図３４】
2006065718.tif 000066
【図３５】
2006065718.tif 000067
【図３６】
2006065718.tif 000068
【図３７】
2006065718.tif 000069
【図３８】
2006065718.tif 000070
【図３９】
2006065718.tif 000071
【図４０】
2006065718.tif 000072
【図４１】
2006065718.tif 000073
【図４２】
2006065718.tif 000074
【図４３】
2006065718.tif 000075
【図４４】
2006065718.tif 000076
【図４５】
2006065718.tif 000077
【図４６】
2006065718.tif 000078
【図４７】
2006065718.tif 000079
【図４８】
2006065718.tif 000080
【図４９】
2006065718.tif 000081
【図５０】
2006065718.tif 000082
【図５１】
2006065718.tif 000083
【図５２】
2006065718.tif 000084
【図５３】
2006065718.tif 000085
【図５４】
2006065718.tif 000086
【図５５】
2006065718.tif 000087
【図５６】
2006065718.tif 000088
【図５７】
2006065718.tif 000089
【図５８】
2006065718.tif 000090
【図５９】
2006065718.tif 000091
【図６０】
2006065718.tif 000092
【図６１】
2006065718.tif 000093
【図６２】
2006065718.tif 000094
【図６３】
2006065718.tif 000095
【図６４】
2006065718.tif 000096
【図６５】
2006065718.tif 000097
【図６６】
2006065718.tif 000098
【図６７】
2006065718.tif 000099
【図６８】
2006065718.tif 000100
【図６９】
2006065718.tif 000101
【図７０】
2006065718.tif 000102
【図７１】
2006065718.tif 000103
【図７２】
2006065718.tif 000104